(57)【要約】      （修正有）【課題】ヒト毛髪又は他の角質性繊維からデータを光学的に取得するための毛髪読取デバイスを提供する。【解決手段】角質性繊維を照らし、前記繊維によって反射及び/又は屈折及び/又は透過した光が検出器に入射して検出器によって電気シグナルに変換されるステップと、電気シグナルから、前記角質性繊維の複数スペクトルを算出して、前記複数スペクトルの各スペクトルが、(i)前記角質性繊維のそれぞれ異なる部分、及び/又は、(ii)前記角質性繊維の少なくとも一部が配置される空間の種々の小領域中の素材、に対応するステップとからなり、角質性繊維からデータを光学的に取得する。【選択図】なし【特許請求の範囲】
【請求項１】
a.  角質性繊維を照らし、前記繊維によって反射及び/又は屈折及び/又は透過した光が検出器に入射して検出器によって電気シグナルに変換されるステップと、
b.  電気シグナルから、前記角質性繊維の複数スペクトルを算出して、前記複数スペクトルの各スペクトルが
(i)  前記角質性繊維のそれぞれ異なる部分、及び/又は
(ii)  前記角質性繊維の少なくとも一部が配置される空間の種々の小領域中の素材、に対応するステップと、を有する、  角質性繊維からデータを光学的に取得する方法。
【請求項２】
前記方法は、
i.  照らされた繊維は、第一物体平面にあり、
ii.  第一画像が、光路に沿って前記繊維と前記検出器との間の中間の位置に形成され、
前記中間の位置は、第一画像平面と第二物体平面の両方として構成され、
前記第一画像は、前記繊維の少なくとも1D焦点画像であり、
iii.  第二画像が前記検出器で形成され、
前記第二画像は、前記第一画像の画像である、ように実施される、請求項１に記載の方法。
【請求項３】
前記方法は、少なくとも一つのイメージングシステムの存在によって、
i.  照らされた繊維は、第一物体平面にあり、
ii.  第一画像が、光路に沿って前記繊維と前記検出器との間の中間の位置に形成され、
前記中間の位置は、第一画像平面と第二物体平面の両方として構成され、
前記第一画像は、前記繊維の少なくとも1D焦点画像であり、
iii.  第二画像が前記検出器で形成され、
前記第二画像は、前記第一画像の画像である、ように実施される、請求項１又は２に記載の方法。
【請求項４】
前記画像システムは、前記光路に沿って配置される、請求項３に記載の方法。
【請求項５】
スリット又は開口部が、前記光路に沿って前記角質性繊維と前記検出器との間に配置され、
前記中間の位置は、前記スリット又は開口部の位置に実質的に対応する、請求項１から４の何れかに記載の方法。
【請求項６】
前記角質性繊維の少なくとも1D焦点画像は、前記角質性繊維の2D焦点画像である、請求項１から５のいずれかに記載の方法。
【請求項７】
前記検出器は、二次元プレーナーアレイに配列された複数の構成的光電検出器を備え、
その平面は、前記第二画像の画像平面に対応する、請求項１から６のいずれかに記載の方法。
【請求項８】
前記構成的光電検出器の第一及び第二サブセットは、
(i)  前記角質性繊維の第一及び第二部分、及び/又は
(ii)  前記角質性繊維の少なくとも一部が配置される空間の第一及び第二小領域の中の素材に、それぞれ対応する第一反射及び第二スペクトルをそれぞれ発生させる、請求項１から７のいずれかに記載の方法。
【請求項９】
前記光電検出器のサブセットは、独立している、請求項８に記載の方法。
【請求項１０】
前記光電検出器のサブセットは、一方向に、互いに平行である、請求項８又は９に記載の方法。
【請求項１１】
照らされた繊維は、アライメント軸に沿って互いに一直線に並べられ、
前記第一及び第二スペクトルに対応する前記繊維の前記第一及び第二部分は、前記アライメント軸に沿って互いに一直線に並べられる、請求項１から１０のいずれかに記載の方法。
【請求項１２】
前記光電検出器のアレイの第一方向は、様々な波長に対応し、
前記第一方向に対して垂直な第二方向は、前記角質性繊維の種々の部分に対応する、請求項１から１１のいずれかに記載の方法。
【請求項１３】
前記複数のスペクトルの各反射スペクトルは、それぞれ、前記角質性繊維のそれぞれ異なる独立部分に対応する、請求項１から１２のいずれかに記載の方法。
【請求項１４】
c.  前記角質性繊維の前記第二部分に特異的なスペクトルと、前記角質性繊維の前記第一部分に特異的なスペクトルと、を電子的に比較するステップと、
d.  比較の結果に従って、前記角質性繊維を、色に関して均質か不均質かを分類するステップと、を更に有する、請求項１から１３のいずれかに記載の方法。
【請求項１５】
c.  前記角質性繊維の前記第二部分に特異的な反射スペクトルと、前記角質性繊維の前記第一部分に特異的な反射スペクトルと、を電子的に比較するステップと、
d.  比較の結果に従って、前記角質性繊維を、色に関して均質か不均質かを分類するステップと、を更に有する、請求項１から１４のいずれかに記載の方法。
【請求項１６】
c.  前記角質性繊維の前記第二部分に特異的なスペクトルと、前記角質性繊維の前記第一部分に特異的なスペクトルと、を電子的に比較するステップと、
d.  比較の結果に従って、毛髪染色薬剤の組み合わせを分配するステップと、を更に有する、請求項１から１５のいずれかに記載の方法。
【請求項１７】
c.  前記角質性繊維の前記第二部分に特異的な反射スペクトルと、前記角質性繊維の前記第一部分に特異的な反射スペクトルと、を電子的に比較するステップと、
d.  比較の結果に従って、毛髪染色薬剤の組み合わせを分配するステップと、を更に有する、請求項１から１６のいずれかに記載の方法。
【請求項１８】
a.  被験者の角質性繊維を配置して、前記繊維の種々の部分が、複数のスライスに分けられた空間領域の種々のスライスにそれぞれ設置されるステップと、
b.  前記複数のスライスの各々に関して、前記スライス内に配置された前記角質性繊維の各部分に特異的なスペクトルデータをそれぞれ取得するステップと、
c.  前記角質性繊維の前記第二部分に特異的なスペクトルデータと、前記角質性繊維の前記第一部分に特異的なスペクトルデータと、を電子的に比較するステップと、を有する、繊維染色に関する方法。
【請求項１９】
a.  被験者の角質性繊維を配置して、前記繊維の種々の部分が、複数のスライスに分けられた空間領域の種々のスライスにそれぞれ設置されるステップと、
b.  前記複数のスライスの各々に関して、前記スライス内に配置された前記角質性繊維の各部分に特異的なスペクトルデータをそれぞれ測定するステップと、
c.  前記繊維の第二部分のスペクトル図形と、前記繊維の第一部分のスペクトル図形と、を電子的に比較するステップと、を有する、繊維染色に関する方法。
【請求項２０】
前記第一及び第二スペクトルの一方又は両方は、反射スペクトルである、請求項１９に記載の方法。
【請求項２１】
前記方法は、均一性及び/又は均質性パラメーターを算出するために実行される、請求項１９又は２０に記載の方法。
【請求項２２】
前記均一性及び/又は均質性パラメーターは、毛髪の房の均一性及び/又は均質性パラメーターである、請求項２１に記載の方法。
【請求項２３】
前記均一性及び/又は均質性パラメーターは、色空間パラメーターである、請求項２１又は２２に記載の方法。
【請求項２４】
前記色空間パラメーターは、LAB色空間値である、請求項２３に記載の方法。
【請求項２５】
前記方法は、比較の結果に従って、毛髪染色薬剤の組み合わせを分配するステップを更に有する、請求項１から２４のいずれかに記載の方法。
【請求項２６】
前記角質性繊維を、色及び/又は色空間値に関して均質か不均質かに分類するステップを有し、
分配は、分類の結果に従って実行される、請求項１から２５のいずれかに記載の方法。
【請求項２７】
前記角質性繊維を、色及び/又は色空間値に関して均質か不均質かに分類するステップを有する、請求項１から２６のいずれかに記載の方法。
【請求項２８】
a.  被験者の角質性繊維を配置して、種々の繊維サブ集団を、複数のスライスに分けられた空間領域の各スライスにそれぞれ設置するステップと、
b.  スライスの各々に関して、前記スライス内に配置された前記角質性繊維の前記各サブ集団に特異的なスペクトルデータをそれぞれ取得するステップと、
c.  前記第二サブ集団の特異的なスペクトルデータと、前記第一サブ集団に特異的なスペクトルデータと、を電子的に比較するステップと、
d.  電子的比較の結果に従って、毛髪の均質性に関するパラメーターを算出するステップと、を有する、角質性繊維を染色する方法。
【請求項２９】
i.  e.  スペクトルデータの比較に従って、前記角質性繊維を、天然灰色毛髪か人工的に着色された灰色毛髪に電子的に分類するステップを更に有し、
ii.  分配は、分類の結果に従って実行される、請求項２８に記載の方法。
【請求項３０】
前記画像は、前記画像平面の直交軸線において種々の倍率の値で異方的に拡大され、即ち、第一倍率の値は、一つ又は任意の他の値と等しくてもよく、即ち、第二倍率の値は、第二軸の第一倍率の値と異なる、請求項１から２９のいずれかに記載の方法。
【請求項３１】
前記スリット又は開口部と共通面である前記画像平面は、前記画像平面中の第一軸に焦点が合っており第一軸に対して直交する第二軸には焦点が合っていない1Dのみの焦点画像を含む画像平面であるように実行される。
【請求項３２】
a.  角質性繊維を照らし、第一及び第二平面に第一及び第二1Dのみの焦点画像をそれぞれ形成する、前記繊維によって反射及び/又は屈折及び/又は透過した光が検出器に入射して検出器によって電気シグナルに変換されるステップと、
b.  電気シグナルから、角質性繊維の複数スペクトルを算出して、前記複数スペクトルの各スペクトルが
(i)  前記角質性繊維のそれぞれ異なる部分、及び/又は
(ii)  前記角質性繊維の少なくとも一部が配置される空間の種々の小領域中の素材、に対応するステップと、を有する、角質性繊維からデータを光学的に取得する方法。
【請求項３３】
請求項１から３２のいずれかに記載の方法を実行するように構成されたシステム。
【請求項３４】
a.  繊維配置位置を規定するデバイス筐体と、
b.  角質性繊維の少なくとも一部が、複数のスライスに分割された空間の領域内にあるように、繊維配置位置に位置すると、前記角質性繊維を照らすように構成された発光源と、
c.  前記スライスの各々に関して、各スライス内に配置された素材に特異的なスペクトルデータをそれぞれ取得するように構成された装置と、を備える、角質性繊維からスペクトルデータを取得するためのシステム。
【請求項３５】
a.  繊維配置位置を規定するデバイス筐体と、
b.  角質性繊維の少なくとも一部が、複数のスライスに分割された空間の領域内にあるように、繊維配置位置に位置すると、前記角質性繊維を照らすように構成された発光源と、
c.  スライスの各々に関して、前記角質性繊維の種々の部分に特異的なスペクトルデータをそれぞれ取得するように構成された装置と、を備える、角質性繊維からスペクトルデータを取得するためのシステム。
【請求項３６】
前記装置は、モノクロメーター又はスペクトル解析器を備える、請求項３５に記載のシステム。
【請求項３７】
前記モノクロメーター又はスペクトル解析器は、格子及びプリズムのうちの少なくとも1つを備える、請求項３５に記載のシステム。
【請求項３８】
スリット又は開口部が、前記繊維と光検出器との間の光路に配置される、請求項３２から３７のいずれかに記載のシステム。
【請求項３９】
a.  繊維配置位置を規定するデバイス筐体と、
b.  前記繊維配置位置に位置すると、角質性繊維を照らすように構成された光源と、
c.  スリット又は開口部又はコリメーティングレンズと、
d.  格子及び/又はプリズム又は他の色分散光学部品と、
e.  光検出用検出器と、
f.  第一及び第二光学システムと、を備え、
前記第一及び第二光学システムは、照らされた角質性繊維によって反射及び/又は屈折及び/又は透過した光を焦束するように構成され、
i.  前記角質性繊維によって反射及び/又は屈折及び/又は透過した光は、前記第一イメージングシステムによって焦束され、前記繊維と前記検出器との間の光路に沿う中間の位置で前記角質性繊維の少なくとも1D焦点画像を形成し、
ii.  前記格子及び/又はプリズム及び/又は他の色分散光学部品及び前記第二光学システムは、前記角質性繊維によって反射及び/又は屈折及び/又は透過した光が前記格子及び/又はプリズム及び/又は他の色分散光学部品及び前記第二光学システムを介して前記検出器に達するように、前記スリット又は開口部又はコリメーティングレンズと前記検出器との間の光路に位置し、
A.  前記格子及び/又はプリズム及び/又は他の色分散光学部品の存在によって、前記検出器は、前記角質性繊維のスペクトルデータを検出し、
B.  前記第二イメージングシステムの存在によって、角質性繊維反射及び/又は屈折及び/又は透過光が前記検出器に焦束され、前記中間の位置で前記角質性繊維の少なくとも1D焦点画像の画像を前記検出器に形成する、角質性繊維からスペクトルデータを取得するためのシステム。
【請求項４０】
前記中間の位置は、前記格子及び/又はプリズム及び/又は他の色分散光学部品の位置に対応する、請求項３９に記載の装置。
【請求項４１】
a.  繊維配置位置を規定するデバイス筐体と、
b.  前記繊維配置位置に位置すると、角質性繊維を照らすように構成された光源と、
c.  光検出器と、
d.  光学的構成要素と、を備え、
前記光学的構成要素は、繊維によって反射及び/又は屈折及び/又は透過された光から、
i.  前記光検出器の画像平面の第一次元のスペクトルデータと、
ii.  前記光検出器の前記画像平面の第二方向の前記角質性繊維の少なくとも1D焦点画像と、を形成するように構成され、
前記第二方向は、第一方向に対して垂直である、角質性繊維からスペクトルデータを取得するためのシステム。
【請求項４２】
前記光検出器は、光電検出器の2Dプレーナーアレイを備え、
前記光学的構成要素は、前記繊維によって反射及び/又は屈折及び/又は透過された光から、
i.  前記光電検出器の2Dプレーナーアレイの第一次元のスペクトルデータと、
ii.  前記光電検出器の2Dプレーナーアレイの第二方向の前記角質性繊維の少なくとも1D焦点画像と、を形成するように構成され、
前記第二方向は、第一方向に対して垂直である、請求項４１に記載のシステム。
【請求項４３】
前記角質性繊維の前記少なくとも1D焦点画像は、角質性繊維の2D焦点画像である、請求項４１又は４２に記載のシステム。
【請求項４４】
前記スリットは、細長い軸を規定し、
前記角質性繊維は、前記スリットの細長い軸と直角をなす方向に、実質的に一直線に並べられる、請求項３２から４３のいずれかに記載のシステム。
【請求項４５】
a.  光が繊維を照らし、前記繊維によって反射した光が、その後、スリット又は開口部を通過するステップと、
b.  光電検出器の出力を分析して、
(i)  照らされた繊維のスペクトルデータを決定する、及び/又は
(ii)  分析した出力から毛髪処理を算出するステップと、を有し、
照らされる繊維は、物体平面にあり、
前記繊維と前記スリット又は開口部との間の光路上の1又は複数の光学的構成要素の存在によって、画像平面の形成が引き起こされ、前記スリット又は開口部が前記画像平面中に設置される、角質性繊維からデータを光学的に取得する方法。
【請求項４６】
前記画像は、前記画像平面の直交軸線において種々の倍率の値で異方的に拡大される、請求項１から４５のいずれかに記載の方法。
【請求項４７】
前記方法は、
前記スリット又は開口部と共通面である前記画像平面は、前記画像平面の第一軸に焦点が合っており第一軸に直交する第二軸には焦点が合っていない部分画像を含む画像平面であるように実行される、請求項１から４６のいずれかに記載の方法。
【請求項４８】
a.  光が繊維を照らし、前記繊維によって反射した光が、その後、スリット又は開口部を通過するステップと、
b.  光電検出器の出力を分析して、
(i)  照らされた繊維のスペクトルデータを決定する、及び/又は
(ii)  分析した出力から毛髪処理を算出するステップと、を有し、
照らされる繊維は、物体平面にあり、
前記繊維と前記スリット又は開口部との間の光路上の1又は複数の光学的構成要素の存在によって、第一及び第二部分画像の形成が引き起こされ、
前記第一及び第二部分画像からの光は、前記光電検出器に入射して検出される、角質性繊維からデータを光学的に取得する方法。
【請求項４９】
前記第一及び第二部分画像は、前記スリット又は開口部の対向側に形成される、請求項４９に記載の方法。
【請求項５０】
前記第一及び/又は第二部分の画像平面は、前記スリット又は開口部の平面に対応する、請求項４９に記載の方法。
【請求項５１】
第一部分画像は、第一方向に焦点が合っており第一方向に対して直交する第二方向には焦点が合っておらず、
第二部分画像は、第二方向に焦点が合っており第一方向には焦点が合っていない、請求項４８から５０のいずれかに記載の方法。
【請求項５２】
照らされる繊維は、互いに一直線に並べられる、請求項１から５１のいずれかに記載の方法。
【請求項５３】
スペクトルのうちの少なくとも1つ又は少なくとも複数のスペクトルは、反射スペクトル又は吸収スペクトル又は透過スペクトルである、請求項１から５２のいずれかに記載の方法又はシステム。
【請求項５４】
前記角質性繊維は、インコヒーレント光によって照らされる、請求項１から５３のいずれかに記載の方法又はシステム。
【請求項５５】
前記角質性繊維は、ヒト毛髪である、請求項１から５４のいずれかに記載の方法又はシステム。
【請求項５６】
a.  角質性繊維を照らすステップと、
b.  前記繊維によって反射及び/又は屈折及び/又は透過された光から、第一及び第二中間の位置において前記繊維の第一及び第二1Dのみの焦点画像をそれぞれ形成するステップと、
c.  前記第一及び第二1Dのみの焦点画像の光から色分散光学部品を通過するステップと、
d.  光が、前記角質性繊維のスペクトルを検出するように前記色分散光学部品を通過した後に、光検出器によって、前記第一及び第二1Dのみの焦点画像から前記光を受け取るステップと、を有する、角質性繊維からデータを光学的に取得する方法。
【請求項５７】
前記第一及び第二1Dのみの焦点画像は、トーリックレンズを備える光学的構成要素によって形成される、請求項５６に記載の方法。
【請求項５８】
a.  角質性繊維を照らすように構成された光源と、
b.  前記繊維によって反射及び/又は屈折及び/又は透過された光から、第一及び第二中間の位置において前記繊維の第一及び第二1Dのみの焦点画像をそれぞれ形成するように構成されたイメージングシステムと、
c.  前記第一及び第二1Dのみの焦点画像の光を受け取るように構成された色分散光学部品と、
d.  光が、前記角質性繊維のスペクトルを検出するように、前記色分散光学部品を通過した後、前記第一及び第二1Dのみの焦点画像から光を受け取るに構成された光検出器と、を備える、角質性繊維からデータを光学的に取得するシステム。
【請求項５９】
前記第一1Dのみの画像は、第一画像平面方向に焦点が合っており前記第一画像平面方向に対して直交する第二画像平面方向には焦点が合っておらず、
前記第二1Dのみの画像は、前記第二画像平面方向に焦点が合っており前記第一画像平面方向には焦点があっていない、請求項１から５８のいずれかに記載の方法又はシステム。
【請求項６０】
前記角質性繊維は、アライメント軸に沿って一直線に並べられる、請求項１から５９のいずれかに記載の方法又はシステム。
【請求項６１】
i.  前記角質性繊維は、アライメント軸に沿って一直線に並べられ、
ii.  前記第一1Dのみの画像は、アライメント軸に沿って第一画像平面方向に焦点が合っており前記第一画像平面方向に対して直交する第二画像平面方向には焦点が合っておらず、
iii.  前記第二1Dのみの画像は、前記第二画像平面方向に焦点が合っており前記第一画像平面方向には焦点が合っていない、請求項１から６０のいずれかに記載の方法又はシステム。
【請求項６２】
前記第一及び第二1Dのみの焦点画像は、前記光検出器において再結合される、請求項１から６１のいずれかに記載の方法又はシステム。
【請求項６３】
前記第一及び第二1Dのみの焦点画像は、前記光検出器において2D焦点画像に再結合される、請求項１から６２のいずれかに記載の方法又はシステム。
【請求項６４】
前記繊維によって反射及び/又は屈折及び/又は透過された光は、前記色分散光学部品への途中で開口部又はスリットを通過する、請求項１から６３のいずれかに記載の方法又はシステム。
【請求項６５】
前記第一及び第二1Dのみの焦点画像の画像平面位置は、前記スリット又は開口部の平面に対応する、請求項１から６４のいずれかに記載の方法又はシステム。
【請求項６６】
検出したスペクトルに従って、毛髪処理法を算出する及び/又は毛髪染色薬剤の組み合わせを分配するステップを更に有する、請求項１から６５のいずれかに記載の方法又はシステム。
【請求項６７】
a.  複数の容器と、
b.  ディスペンサーと、を備え、
各容器は、種々の永久毛髪染色薬剤を保持し、
第一の複数の容器は、染料前駆体を含み発色剤を実質的に含まず、
第二の複数の容器は、発色剤を含み染料前駆体を実質的に含まず、
前記ディスペンサーは、前記容器の内容物を分配するように構成され、
第一及び第二容器からの素材を含む複数容器の組み合わせを提供する、毛髪染色組成物を作成するためのシステム。
【請求項６８】
a.  第一及び第二容器を備える複数の容器と、
b.  複数のタブレットと、
c.  ディスペンサーと、を備え、
前記複数のタブレットは、(i)永久毛髪染色染料前駆体と(ii) 永久毛髪染色染料発色剤のうちの少なくとも一つを含む各タブレットを有する容器の各々の中に配置され、
第一の前記容器において、複数のタブレットは、第一及び第二タイプのタブレットを含み、
(A)  前記第一タイプのタブレットは、永久毛髪染色染料前駆体を含み永久毛髪染色染料発色剤を実質的に含まず、
(B)  前記第二タイプのタブレットは、永久毛髪染色染料発色剤を含み永久毛髪染色染料前駆体を実質的に含まず、
前記第一容器の大多数のタブレットは、前記第一タイプであり、
前記第二容器の大多数のタブレットは、前記第二タイプであり、
前記ディスペンサーは、前記第一及び第二の容器から、前記第一及び第二タイプのタブレットを含む複数容器とタブレットの組み合わせを提供するようにタブレットを分配するように構成される、毛髪染色組成物を作成するためのシステム。
【請求項６９】
前記第一容器の少なくとも大多数のタブレットは、前記第一タイプであり、実質的に同じ染色発色剤であり、実質的に同一サイズである、請求項６８に記載のシステム。
【請求項７０】
前記複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプで、同一の前駆体PREC_1を含み、
(iv)  TABLET_SET3の全てのタブレットは、第一タイプであり、TABLET_SET3と同じ同一の前駆体PREC_1を含み
(v)  TABLET_SET1のタブレットの平均ロード(重量あたりのもの)は、LW1であり、
(v)  TABLET_SETト3のタブレットの平均ロード(重量あたりのもの)は、LW3であり、
(vi)  LW1とLW3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、請求項６９に記載のシステム。
【請求項７１】
前記複数の容器は、第三容器を備え、
(i)  前記第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプであり、同一の前駆体PREC1を含み、
(iv)  TABLET_SET3の全てのタブレットは、第一タイプであり、TABLET_SET3と同じ同一の前駆体PREC1を含み、
(v)  TABLET_SET1のタブレットの平均ロード(モルあたりのもの)は、LM1であり、
(v)  TABLET_SET3のタブレットの平均ロード(重量あたりのもの)は、LM3であり、
(vi)  LM1とLM3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、請求項１から７０のいずれかに記載のシステム。
【請求項７２】
前記複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプであり、同一の前駆体PREC1を含み、
(iv)  TABLET_SET3の全てのタブレットは、第一タイプであり、TABLET_SET3と同じ同一の前駆体PREC1を含み、
(v)  TABLET_SET1のタブレットの平均容積は、VOL1であり、
(v)   TABLET_SET3のタブレットの平均容積は、VOl3であり、
(vi)  VOL1とVOL3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、請求項１から７１のいずれかに記載のシステム。
【請求項７３】
TABLET_SET1の全てのタブレットは、容積が実質的に同じ及び/又は前駆体PREC1のロード(重量あたりのもの)が実質的に同じ及び/又は前駆体PREC1のロード(モルあたりのもの)が実質的に同じである、請求項１から７２のいずれかに記載のシステム。
【請求項７４】
TABLET_SET3の全てのタブレットは、容積が実質的に同じ及び/又は前駆体PREC1のロード(質量あたりのもの)が実質的に同じ及び/又は前駆体PREC1のロード(モルあたりのもの)が実質的に同じであ、請求項１から７３のいずれかに記載のシステム。
【請求項７５】
a.  第一及び第二容器を備える複数の容器と、
b.  複数のタブレットと、
c.  ディスペンサーと、を備え、
前記複数のタブレットは、容器の各々の中に配置され、
各タブレットは、(i)永久毛髪染色染料前駆体と(ii)永久毛髪染色染料発色剤のうちの少なくとも一つを含み、
第一容器のタブレットの大多数は、永久毛髪染色染料前駆体を含み永久毛髪染色染料発色剤を実質的に含まず、
第二容器の大多数のタブレットは、永久毛髪染色染料発色剤を含み永久毛髪染色染料前駆体を実質的に含まず、
ディスペンサーは、第一及び第二容器からのタブレットを含む複数容器とタブレットの組み合わせをに提供するようにタブレットを分配するように構成される、毛髪染色組成物を作成するためのシステム。
【請求項７６】
前記ディスペンサーは、(i)毛髪染色標的及び/又は(ii) 前記毛髪分光データのうちの少なくとも一つに従って、複数容器の組み合わせを分配するように構成される、請求項１から７５のいずれかに記載のシステム。
【請求項７７】
a.  分配デバイスと、
b.  複数の容器と、
c.  コード読取装置と、を備え、
前記複数の容器の各々は、その中に保存された、それぞれ異なる美容特性を有するそれぞれ異なる美容薬剤を含み、
各容器は、それぞれ、(i)その中に保存された美容薬剤の一又は複数の参照物理化学特性と(ii)美容素材の期限を示す期限値の両方を示すデータによってエンコードされ、
コード読取装置は、分配デバイスに備わる又は動作可能に結合し、
コード読取装置は、各容器からのそれぞれのエンコードされた一又は複数の参照物理化学特性及び期限値を読み取るように構成され、
i.  分配デバイスは、容器がそれに係合すると、容器内に保存された美容薬剤の現在の一又は複数の物理化学特性の評価に従って決定される相対量の美容薬剤を容器から分配するように構成され、
ii.  各美容薬剤の現在の物理的化学特性の評価は、(i)そこに保存された美容薬剤の一又は複数の参照物理化学特性と(ii)美容素材の期限を示す期限値の両方に従って算出される、美容成分を分配するためのシステム。
【発明の詳細な説明】
【技術分野】
【０００１】
関連出願についてのクロスリファレンス
本願は、2013年9月26日に出願のCA 2,828,363、2014年9月27日に出願のUS61883263;2014年1月13日に出願のUS61926909号及び2014年4月27日に出願のUS61984798号並びに2014年9月24日に出願のPCT/IB2014/064809に対する優先権を主張し、その全てを完全に引用する。
【０００２】
背景及び関連
技術以下の特許及び特許公開公報は、潜在的に関連した背景内容を提供するものであり、その全てを完全に引用する:US 4643313、US 5205837、US 5660342、US 5754283、US 5851181、US 5990058、US 6096359、US 6170980、US 6248749、US 6362885、US 6529446、US 6547833、US 6613311、US 6707929、US 6764523、US 6790240、US 6818022、US 6984377、US 7110117、US 7204856、US 7304739、US 7458992、US 7463356、US 7508508、US 7523018、US 7708021、US 20010002025、US 20020010556、US 20020157191、US 20020194684、US 20030028978、US 20040000015、US 20040013616、US 20050015895、US 20050019398、US 20050039271、US 20050165705、US 20050177032、US 20050244343、US 20060149151、US 20060195300、US 20070159290、US 20070265867、US 20080013077、US 20080068604、US 20080256724、US 20090119852、US 20110038818、DE 10260880、DE 2006008149、DE 3609962、DE 4205112、EP 0590538、EP 1817976、EP 2081668、EP 2193781、FR 2402446、FR 2532174、FR 2901131、JP 2000116622、JP 2004198398、JP 2004212088、JP 2007212140、JP 2008285429、KR100802645、KR20040076861、WO 0145647、WO 02083282、WO 03012728、WO 03074015、WO 04101689、WO 11003554、WO 2004058202、WO 2004082650、WO 2004101689、WO 2008046518、WO 2009121643、WO 2009152033、WO 2010004565、WO 2010060601、WO 2010100231、WO 2012032671、
【発明の概要】
【０００３】
本発明のある実施形態は、ヒト毛髪又は他の角質性繊維からデータを光学的に取得するための毛髪読取デバイスに関する。いくつかの実施形態において、毛髪の1又は複数の物理的及び/又は化学的特性は、光学的に取得されたデータから算出される。いくつかの実施形態において、カスタマイズされた毛髪染色組成物は、光学的に検出された毛髪特性に従って作成される。
【０００４】
本発明のある実施形態は、酸化的毛髪染色のためのディスペンサーシステムに関する。複数の容器は、いくつかの容器が染料前駆体を含み発色剤を実質的に含まない一方で、他の容器が発色剤を含み染料前駆体を実質的に含まないようにディスペンサーに係合している。ディスペンサーは、容器の内容物を分配するように構成して、複数容器の組み合わせを提供する。ディスペンサーシステムは、任意の現在開示されている毛髪読取デバイスと共に、又は、任意の他の毛髪読取デバイスと共に、又は、任意の他のものと共に用いてもよい。
【０００５】
本発明のある実施形態は、(例えば、毛髪染色のための、又は、任意の他の美容用途のための)美容薬剤の分配に関するものであり、容器毎に、その中の美容素材の物理的及び/又は化学的特性を記述しているデータが、容器にエンコードされている。このデータは、データ読取装置に従って、容器から、美容素材を容器に分配する分配デバイスに動作可能に結合したコード読取装置によって読み取られる。
【０００６】
上述した毛髪読取デバイスに関連する方法を、ここで開示する。この方法は、角質性繊維を照らすステップと、角質性繊維の複数のスペクトル(例えば反射スペクトル)を取得し、上記複数のスペクトルの各々は、角質性繊維のそれぞれ異なる部分にそれぞれ対応する。
【０００７】
この方法は、光電検出器の二次元アレイと共に第一及び第二光学システムを使用して実施してもよく、光電検出器の各列は、それぞれ異なるスペクトル(例えば反射スペクトル)を検出する。
【０００８】
いくつかの実施形態において、この方法は、毛髪を分類するのに有効である。毛髪染色組成物又は処理は、反射スペクトルに従って算出することができる。染色組成物の調製のための毛髪染色薬剤(例えば、染料及び/若しくは酸化剤並びに/又は1又は複数のアルカリ化薬剤)は、反射スペクトルに従って分配してもよい。かかる方法を実施する毛髪染色システムも開示する。
【０００９】
角質性繊維からデータを光学的に取得する方法は、
a.  角質性繊維を照らし、繊維によって反射及び/又は屈折及び/又は透過した光が検出器に入射して検出器によって電気シグナルに変換されるステップと、
b.  電気シグナルから、角質性繊維の複数スペクトルを算出して、複数スペクトルの各スペクトルが
(i)  角質性繊維のそれぞれ異なる部分、及び/又は
(ii)  角質性繊維の少なくとも一部が配置される空間の種々の小領域中の素材、に対応するステップと、有する。
【００１０】
いくつかの実施形態において、この方法は、
i.  照らされた繊維は、第一物体平面にあり、
ii.  第一画像が、光路に沿って繊維と検出器との間の中間の位置に形成され、
中間の位置は、第一画像平面と第二物体平面の両方として構成され、
第一画像は、繊維の少なくとも1D焦点画像であり、
iii.  第二画像が検出器で形成され、第二画像は、第一画像の画像である、ように実施される。
【００１１】
いくつかの実施形態において、この方法は、少なくとも一つのイメージングシステムの存在によって、
i.  照らされた繊維は、第一物体平面にあり、
ii.  第一画像が、光路に沿って繊維と検出器との間の中間の位置に形成され、
中間の位置は、第一画像平面と第二物体平面の両方として構成され、
第一画像は、繊維の少なくとも1D焦点画像であり、
iii.  第二画像が検出器で形成され、第二画像は、第一画像の画像である、ように実施される。
【００１２】
いくつかの実施形態において、画像システムは、光路に沿って配置されている。
【００１３】
ある実施形態において、スリット又は開口部が、光路に沿って角質性繊維と検出器との間に配置され、中間の位置は、スリット又は開口部に実質的に対応する。
【００１４】
いくつかの実施形態において、検出器は、二次元プレーナーアレイに配列された複数の構成的光電検出器を備え、その平面は、第二画像の画像平面に対応する。
【００１５】
ある実施形態において、構成的光電検出器の第一及び第二サブセット(例えば独立のサブセット)は、
(i)  角質性繊維の第一及び第二部分、及び/又は
(ii)  角質性繊維の少なくとも一部が配置される空間の第一及び第二小領域の中の素材に、それぞれ対応する第一反射及び第二スペクトルをそれぞれ発生させる。
【００１６】
いくつかの実施形態において、光電検出器のサブセットは、一方向に、互いに平行である。
【００１７】
ある実施形態において、照らされた繊維は、アライメント軸に沿って互いに一直線に並べられ、第一及び第二スペクトルに対応する繊維の第一及び第二部分は、アライメント軸に沿って互いに一直線に並べられる。
【００１８】
ある実施形態において、光電検出器のアレイの第一方向は、様々な波長に対応し、第一方向に対して垂直な第二方向は、角質性繊維の種々の部分に対応する。
【００１９】
ある実施形態において、複数のスペクトルの各反射スペクトルは、角質性繊維のそれぞれ異なる独立部分にそれぞれ対応する。
【００２０】
ある実施形態において、この方法は、更に、
c.  角質性繊維の第二部分に特異的なスペクトルと、角質性繊維の第一部分に特異的なスペクトルと、を電子的に比較するステップと、
d.  比較の結果に従って、角質性繊維を、色に関して均質か不均質かを分類するステップと、を有する。
【００２１】
ある実施形態において、この方法は、更に、
c.  角質性繊維の第二部分に特異的な反射スペクトルと、角質性繊維の第一部分に特異的な反射スペクトルと、を電子的に比較するステップと、
d.  比較の結果に従って、角質性繊維を、色に関して均質か不均質かを分類するステップと、を有する。
【００２２】
ある実施形態において、この方法は、更に、
c.  角質性繊維の第二部分に特異的なスペクトルと、角質性繊維の第一部分に特異的なスペクトルと、を電子的に比較するステップと、
d.  比較の結果に従って、毛髪染色薬剤の組み合わせを分配するステップと、を有する。
【００２３】
いくつかの実施形態において、この方法は、更に、
c.  角質性繊維の第二部分に特異的な反射スペクトルと、角質性繊維の第一部分に特異的な反射スペクトルと、を電子的に比較するステップと、
d.  比較の結果に従って、毛髪染色薬剤の組み合わせを分配するステップと、を有する。
【００２４】
繊維染色に関する方法は、
a.  被験者の角質性繊維を配置して、繊維の種々の部分を、複数のスライスに分けられた空間の領域の種々のスライスにそれぞれ設置するステップと、
b.  複数のスライスの各々に関して、このスライス内に配置された角質性繊維の各部分に特異的なスペクトルデータをそれぞれ取得するステップと、
c.  角質性繊維の第二部分に特異的なスペクトルデータと、角質性繊維の第一部分に特異的なスペクトルデータと、を電子的に比較するステップと、を有する。
【００２５】
繊維染色に関する方法は、
a.  被験者の角質性繊維を配置して、繊維の種々の部分を、複数のスライスに分けられた空間の領域の種々のスライスにそれぞれ設置するステップと、
b.  複数のスライスの各々に関して、このスライス内に配置された角質性繊維の各部分に特異的なスペクトルをそれぞれ測定するステップと、
c.  繊維の第二部分のスペクトル図形と、繊維の第一部分のスペクトル図形と、を電子的に比較するステップと、を有する。
【００２６】
いくつかの実施形態において、第一及び第二スペクトルの一方又は両方は、反射スペクトルである。
【００２７】
いくつかの実施形態において、この方法は、均一性及び/又は均質性パラメーターを算出するために実行される。
【００２８】
いくつかの実施形態において、均一性及び/又は均質性パラメーターは、毛髪の房の均一性及び/又は均質性パラメーターである。
【００２９】
いくつかの実施形態において、均一性及び/又は均質性パラメーターは、色空間パラメーターである。
【００３０】
いくつかの実施形態において、色空間パラメーターは、LAB色空間値である。
【００３１】
いくつかの実施形態において、この方法は、比較の結果に従って、毛髪染色薬剤の組み合わせを分配するステップを更に有する。
【００３２】
いくつかの実施形態において、この方法は、更に、角質性繊維を、色及び/又は色空間値に関して均質か不均質かに分類するステップを有し、分配は、分類の結果に従って実行される。
【００３３】
いくつかの実施形態において、この方法は、更に、角質性繊維を、色及び/又は色空間値に関して均質か不均質かに分類するステップを有する。
【００３４】
角質性繊維を染色する方法は、
a.   被験者の角質性繊維を配置して、種々の繊維サブ集団を、複数のスライスに分けられた空間領域の各スライスにそれぞれ設置するステップと、
b.  スライスの各々に関して、スライス内に配置された角質性繊維の各サブ集団に特異的なスペクトルデータをそれぞれ取得するステップと、
c.  第二サブ集団の特異的なスペクトルデータと、第一サブ集団に特異的なスペクトルデータと、を電子的に比較するステップと、
d.  電子的比較の結果に従って、毛髪の均質性に関するパラメーターを算出するステップと、を有する。
【００３５】
ある実施形態において、(i)  この方法は、更に、
e.  スペクトルデータの比較に従って、角質性繊維を、天然灰色毛髪か人工的に着色された灰色毛髪に電子的に分類するステップを有し、分配は、分類の結果に従って実行される。
【００３６】
ある実施形態において、画像は、画像平面の直交軸線において種々の倍率の値で異方的に拡大され、-即ち、第一倍率の値は、一つ又は任意の他の値と等しくてもよく、即ち、第二倍率の値は、第二軸の第一倍率の値と異なる。
【００３７】
ある実施形態において、この方法は、スリット又は開口部と共通面である画像平面は、画像平面中の第一軸に焦点が合っており、第一軸に対して直交する第二軸には焦点が合っていない1Dのみの焦点画像を含む画像平面であるように実行される。
【００３８】
角質性繊維からスペクトルデータを取得するためのシステムは、
a.  繊維配置位置を規定するデバイス筐体と、
b.  繊維の少なくとも一部が空間の領域内にあるように、繊維配置位置に位置すると、角質性繊維を照らすように構成された発光源と、
c.  スライスの各々に関して、各スライス内に配置された素材に特異的なスペクトルデータをそれぞれ取得するように構成された装置と、を備える。
【００３９】
角質性繊維からスペクトルデータを取得するためシステムは、
a.  繊維配置位置を規定するデバイス筐体と、
b.  繊維の少なくとも一部が空間の領域内にあるように、繊維配置位置に位置すると、角質性繊維を照らすために構成した光源と、
c.  スライスの各々に関して、角質性繊維の種々の部分に特異的なスペクトルデータをそれぞれ取得するように構成された装置と、を備える。
【００４０】
いくつかの実施形態において、この装置は、モノクロメーター又はスペクトル解析器を備える。
【００４１】
いくつかの実施形態において、モノクロメーター又はスペクトル解析器は、格子及びプリズムのうちの少なくとも1つを備える。
【００４２】
いくつかの実施形態において、スリット又は開口部が、繊維と光検出器との間の光路に配置される。
【００４３】
角質性繊維からスペクトルデータを取得するためのシステムは、
a.  繊維配置位置を規定するデバイス筐体と、
b.  繊維配置位置に位置すると、角質性繊維を照らすように構成された光源と、
c.  スリット又は開口部又はコリメーティングレンズと、
d.  格子及び/又はプリズム又は他の色分散光学部品と、
e.  光検出用検出器と、
f.  第一及び第二光学システムと、を備え、
第一及び第二光学システムは、照らされた角質性繊維によって反射及び/又は屈折及び/又は透過した光を焦束するように構成され、
i.  角質性繊維によって反射及び/又は屈折及び/又は透過した光は、第一イメージングシステムによって焦束され、繊維と検出器との間の光路に沿う中間の位置で角質性繊維の少なくとも1D焦点画像を形成し、
ii.  格子及び/又はプリズム及び/又は他の色分散光学部品及び第二光学システムは、角質性繊維によって反射及び/又は屈折及び/又は透過した光が格子及び/又はプリズム及び/又は他の色分散光学部品及び第二光学システムを介して検出器に達するように、スリット又は開口部又はコリメーティングレンズと検出器との間の光路に位置し、
A.  格子及び/又はプリズム及び/又は他の色分散光学部品の存在によって、検出器は、角質性繊維のスペクトルデータを検出し、
B.  第二イメージングシステムの存在によって、角質性繊維反射及び/又は屈折及び/又は透過光が検出器(例えばそのプレーナーアレイ)に焦束され、前記中間の位置で角質性繊維の画像を検出器に形成する。この画像は、であってもよい
【００４４】
いくつかの実施形態において、中間の位置は、スリット(又は、他の開口部)の位置に、又は、格子及び/又はプリズム及び/又は他の色分散光学部品の位置に対応していてもよい。
【００４５】
角質性繊維からスペクトルデータを取得するためのシステムは、
a.  繊維配置位置を規定するデバイス筐体と、
b.  繊維配置位置に位置すると、角質性繊維を照らすように構成された光源と、
c.  光電検出器の2Dプレーナーアレイと、
d.  光学的構成要素と、を備え、
光学的構成要素は、繊維によって反射及び/又は屈折及び/又は透過された光から、
i.  光電検出器の2Dプレーナーアレイの第一次元のスペクトルデータと、
ii.  光電検出器の2Dプレーナーアレイの第二方向の角質性繊維の少なくとも1D焦点画像と、を形成するように構成され、
第二方向は、第一方向に対して垂直である。
【００４６】
いくつかの実施形態において、スリットは、細長い軸を規定し、角質性繊維は、スリットの細長い軸と直角をなす方向に、実質的に一直線に並べられる。
【００４７】
角質性繊維からデータを光学的に取得する方法は、
a.  光が繊維を照らし、繊維によって反射した光が、その後、スリット又は開口部を通過するステップと、
b.  光電検出器の出力を分析して、
(i)  照らされた繊維のスペクトルデータを決定する、及び/又は
(ii)  分析した出力から毛髪処理を算出するステップと、を有し、
照らされる繊維は、物体平面にあり、
繊維とスリット又は開口部との間の光路上の1又は複数の光学的構成要素の存在によって、画像平面の形成が引き起こされ、スリット又は開口部が画像平面中に設置される。
【００４８】
ある実施形態において、画像は、画像平面の直交軸線において種々の倍率の値で異方的に拡大される、即ち、第一倍率の値は、一つ又は任意の他の値と等しくてもよく、即ち、第二倍率の値は、第二軸の第一倍率の値と異なる。
【００４９】
ある実施形態において、スリット又は開口部と共通面である画像平面は、画像平面の第一軸に焦点が合っており第一軸に直交する第二軸には焦点が合っていない1Dのみの焦点画像を含む画像平面である。
【００５０】
角質性繊維からデータを光学的に取得する方法は、
a.  光が繊維を照らし、繊維によって反射した光が、その後、スリット又は開口部を通過するステップと、
b.  光電検出器の出力を分析して、
(i)  照らされた繊維のスペクトルデータを決定する、及び/又は
(ii)  分析した出力から毛髪処理を算出するステップと、を有し、
照らされる繊維は、物体平面にあり、
繊維とスリット又は開口部との間の光路上の1又は複数の光学的構成要素の存在によって、スリット又は開口部の対向側に第一及び第二1Dのみの焦点画像の形成が引き起こされ、
第一及び第二1Dのみの焦点画像からの光は、光電検出器に入射して検出される(例えば1Dのみの焦点画像を再結合する)。
【００５１】
ある実施形態において、第一1Dのみの焦点画像は、第一方向に焦点が合っており第一方向に対して直交する第二方向には焦点が合っておらず、第二1Dのみの焦点画像は、第二方向に焦点が合っており第一方向には焦点が合っていない。
【００５２】
いくつかの実施形態において、照らされる繊維は、互いに一直線に並べられる。
【００５３】
ある実施形態において、スペクトルのうちの少なくとも1つ又は少なくとも複数のスペクトルは、反射スペクトル又は吸収スペクトル又は透過スペクトルである。
【００５４】
いくつかの実施形態において、角質性繊維は、インコヒーレント光によって照らされる。
【００５５】
角質性繊維からデータを光学的に取得する方法は、
a.  角質性繊維を照らすステップと、
b.  繊維によって反射及び/又は屈折及び/又は透過された光から、第一及び第二中間の位置において繊維の第一及び第二1Dのみの焦点画像をそれぞれ形成するステップと、
c.  第一及び第二1Dのみの焦点画像の光から色分散光学部品を通過するステップと、
d.  光が、角質性繊維のスペクトルを検出するように色分散光学部品を通過した後に、光検出器によって、第一及び第二1Dのみの焦点画像から光を受け取るステップと、を有する。
【００５６】
ある実施形態において、第一及び第二1Dのみの焦点画像は、トーリックレンズを備える光学的構成要素によって形成される。
【００５７】
角質性繊維からデータを光学的に取得するためシステムであって、上記システムは、
a.  角質性繊維を照らすように構成された光源と、
b.  繊維によって反射及び/又は屈折及び/又は透過された光から、第一及び第二中間の位置において繊維の第一及び第二1Dのみの焦点画像をそれぞれ形成するように構成されたイメージングシステムと、
c.  第一及び第二1Dのみの焦点画像の光を受け取るように構成された色分散光学部品と、
d.  光が、角質性繊維のスペクトルを検出するように、色分散光学部品を通過した後、第一及び第二1Dのみの焦点画像から光を受け取るように構成された光検出器と、を備える。
【００５８】
ある実施形態において、第一1Dのみの画像は、第一画像平面方向に焦点が合っており第一画像平面方向に対して直交する第二画像平面方向には焦点が合っておらず、第二1Dのみの画像は、第二画像平面方向に焦点が合っており第一画像平面方向には焦点が合っていない。
【００５９】
いくつかの実施形態において、角質性繊維は、アライメント軸に沿って一直線に並べられる。
【００６０】
ある実施形態において、
i.  角質性繊維は、アライメント軸に沿って一直線に並べられ、
ii.  第一1Dのみの画像は、アライメント軸に沿って第一画像平面方向に焦点が合っており第一画像平面方向に対して直交する第二画像平面方向には焦点が合っておらず、
iii.  第二1Dのみの画像は、第二画像平面方向に焦点が合っており第一画像平面方向には焦点が合っていない。
【００６１】
いくつかの実施形態において、第一及び第二1Dのみの焦点画像は、光検出器において再結合される。
【００６２】
いくつかの実施形態において、第一及び第二1Dのみの焦点画像は、光検出器において2D焦点画像に再結合される。
【００６３】
いくつかの実施形態において、繊維によって反射及び/又は屈折及び/又は透過された光は、色分散光学部品への途中で開口部又はスリットを通過する。
【００６４】
いくつかの実施形態において、第一及び第二1Dのみの焦点画像の画像平面位置は、スリット又は開口部の平面に対応する。
【００６５】
ある実施形態において、検出したスペクトルに従って、毛髪処理法を算出する及び/又は毛髪染色薬剤の組み合わせを分配するステップを更に有する。
【００６６】
毛髪染色組成物を作成するためのシステムは、
a.  複数の容器と、
b.  ディスペンサーと、を備え、
各容器は、種々の永久毛髪染色薬剤を保持し、
第一の複数の容器は、染料前駆体を含み発色剤を実質的に含まず、
第二の複数の容器は、発色剤を含み染料前駆体を実質的に含まず、
ディスペンサーは、容器の内容物を分配するように構成され、
第一及び第二容器からの素材を含む複数容器の組み合わせを提供する。
【００６７】
毛髪染色組成物を作成するためのシステムは、
a.  第一及び第二容器を備える複数の容器と、
b.  複数のタブレットと、
c.  ディスペンサーと、を備え、
複数のタブレットは、(i)永久毛髪染色染料前駆体と(ii)永久毛髪染色染料発色剤のうちの少なくとも一つを含む各タブレットを有する容器の各々の中に配置され、
第一の容器において、複数のタブレットは、第一及び第二タイプのタブレットを含み、
(A)  第一タイプのタブレットは、永久毛髪染色染料前駆体を含み永久毛髪染色染料発色剤を実質的に含まず、
(B)  第二タイプのタブレットは、永久毛髪染色染料発色剤を含み永久毛髪染色染料前駆体を実質的に含まず、
第一容器の大多数のタブレットは、第一タイプであり、
第二容器の大多数のタブレットは、第二タイプであり、
ディスペンサーは、第一及び第二の容器から、第一及び第二タイプのタブレットを含む複数容器とタブレットの組み合わせを提供するようにタブレットを分配するように構成される。
【００６８】
いくつかの実施形態において、第一容器の少なくとも大多数のタブレットは第一タイプであり、実質的に同じ染色発色剤であり、実質的に同一サイズである。
【００６９】
いくつかの実施形態において、複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET１の全てのタブレットは、第一タイプであり、同一の前駆体PREC1を含み、
(iv)  TABLET_SET3の全てのタブレットは、第一タイプであり、TABLET_SET3のと同じ同一の前駆体PREC1を含み、
(v)  TABLET_SET1のタブレットの平均ロード(重量あたりのもの)は、LW1であり、
(v)  TABLET_SET3のタブレットの平均ロード(重量あたりのもの)は、LW3であり、
(vi)  LW1とLW3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である。
【００７０】
いくつかの実施形態において、複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプであり、同一の前駆体PREC1を含み、
(iv)  TABLET_SET3の全てのタブレットは、第一タイプであり、TABLET_SET3と同じ同一の前駆体PREC1を含み、
(v)  TABLET_SET1のタブレットの平均ロード(モルあたりのもの)は、LM1であり、
(v)  TABLET_SET3のタブレットの平均ロード(重量あたりのもの)は、LM3であり、
(vi)  LM1とLM3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である。
【００７１】
いくつかの実施形態において、複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプであり、同一の前駆体PREC1を含み、
(iv)  TABLET_SET3の全てのタブレットは、第一タイプであり、TABLET_SET3と同じ同一の前駆体PREC1を含み、
(v)  TABLET_SET1のタブレットの平均容積は、VOL1であり、
(v)  TABLET_SET 3のタブレットの平均容積は、VOl3であり、
(vi)  VOL1とVOL3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である。
【００７２】
ある実施形態において、TABLET_SET1の全てのタブレットは、容積が実質的に同じ及び/又は前駆体PREC1のロード(重量あたりのもの)が実質的に同じ及び/又は前駆体PREC1のロード(モルあたりのもの)が実質的に同じである。
【００７３】
ある実施形態において、TABLET_SET3の全てのタブレットは、容積が実質的に同じ及び/又は前駆体PREC1のロード(重量あたりのもの)が実質的に同じ及び/又は前駆体PREC1のロード(モルあたりのもの)が実質的に同じである。
【００７４】
毛髪染色組成物を作成するためのシステムは、
a.  第一及び第二容器を備える複数の容器と、
b.  複数のタブレットと、
c.  ディスペンサーと、を備え、
複数のタブレットは、容器の各々の中に配置され、
各タブレットは、(i)永久毛髪染色染料前駆体と(ii)永久毛髪染色染料発色剤のうちの少なくとも一つを含み、
第一容器のタブレットの大多数(例えば、少なくとも実質的に大多数)は、永久毛髪染色染料前駆体を含み永久毛髪染色染料発色剤を実質的に含まず、
第二容器の大多数のタブレットは、永久毛髪染色染料発色剤を含み永久毛髪染色染料前駆体を実質的に含まず、
ディスペンサーは、第一及び第二容器からのタブレットを含むタブレットの組み合わせを複数容器に提供するようにタブレットを分配するように構成される。
【００７５】
いくつかの実施形態において、ディスペンサーは、(i)毛髪染色標的及び/又は(ii)毛髪分光データのうちの少なくとも一つに従って、複数容器の組み合わせを分配するように構成される。
【００７６】
美容成分を分配するためのシステムは、
a.  分配デバイスと、
b.  複数の容器と、
c.  コード読取装置と、を備え、
複数の容器の各々は、その中に保存された、それぞれ異なる美容特性を有するそれぞれ異なる美容薬剤を含み、
各容器は、それぞれ、(i)その中に保存された美容薬剤の一又は複数の参照物理化学特性と、(ii)美容素材の期限を示す期限値の両方を示すデータによってエンコードされ、
コード読取装置は、分配デバイスに備わる又は動作可能に結合し、
コード読取装置は、各容器からのそれぞれのエンコードされた一又は複数の参照物理化学特性及び期限値を読み取るように構成され、
i.  分配デバイスは、容器がそれに係合すると、容器内に保存された美容薬剤の現在の物理化学的特性の評価に従って決定される相対量の美容薬剤を容器から分配するように構成され、
ii.  各美容薬剤の現在の物理化学的特性の評価は、(i)そこに保存された美容薬剤の参照物理化学特性と(ii)美容素材の期限を示す期限値の両方に従って算出される。
【００７７】
ある実施形態において、高くてもpH4の水性流体(例えば液体)を含む第一流体貯蔵部と、(i)毛髪染色標的と(ii)毛髪分光データのうちの少なくとも１つに従って第一液貯蔵部から液体又は流体の量を分配するように構成された液体ディスペンサーと、を更に備える。
【００７８】
ある実施形態において、H2O2及び/又は他の酸化剤を含む水性液体又は流体を含む第一液体貯蔵部と、(i)毛髪染色標的と(ii)毛髪分光データのうちの少なくとも１つに従って第一液貯蔵部から液体の量を分配するように構成された液体(又は流体)ディスペンサーと、を更に備える。
【００７９】
いくつかの実施形態において、第一貯蔵部の液体(又は流体)のpHは、高くても4である。
【００８０】
ある実施形態において、高くてもpHが4であり第一液貯蔵部の液体よりも種々の酸化力を有する水性液体を含む第二液貯蔵部と、(i)毛髪染色標的と(ii)毛髪分光データのうちの少なくとも一つに従って第一及び第二貯蔵部から液体の相対量を分配するように構成された液体ディスペンサーと、を更に備える。
【００８１】
ある実施形態において、
d.  第一及び第二貯蔵部と、
e.  液体ディスペンサーと、を更に備え、
第一及び第二貯蔵部は、それぞれ、第一及び第二水溶液を含み、
各水溶液は、1から4(例えば1.5から4又は2から4又は2.5から4又は3から4)の範囲のpHに維持するように構成されたpH調節剤を含み、
各水溶液は、高くても150cP(例えば、高くても150cP又は高くても125cP又は高くても100cP又は高くても75cP)の25℃粘度を有し、
第一水溶液は、酸化剤を含み且つ少なくともXwt%の過酸化水素の水溶液に等価な酸化強度を有し、
第二水溶液は、高くても0.1Xwt%の過酸化水素の水溶液に等価な酸化強度を有し、
Xの値は、少なくとも1であり、
液体ディスペンサーは、(i)毛髪染色標的と(ii)毛髪分光データの少なくとも一つに従って第一及び第二貯蔵部から第一及び第二水溶液の量をそれぞれ分配するように構成される。
【００８２】
ある実施形態において、
d.  第一及び第二貯蔵部と、
e.  液体ディスペンサーと、を更に備え、
第一及び第二貯蔵部は、それぞれ、第一及び第二水溶液を含み、
各水溶液は、1から4(例えば1.5から4又は2から4又は2.5から4又は3から4)の範囲のpHに維持するように構成されたpH調節剤を含み、
各水溶液は、高くても150cP(例えば、高くても150cP又は高くても125cP又は高くても100cP又は高くても75cP)の20℃粘度を有し、
第一水溶液は、酸化剤を含み且つ少なくともXwt%過酸化水素を含み、
第二水溶液は、過酸化水素を含まず又は多くても0.1Xwt%過酸化水素を含み、
Xの値は、少なくとも1であり、
液体ディスペンサーは、(i)液体ディスペンサーは、(ii)毛髪分光データの少なくとも一つに従って第一及び第二貯蔵部から第一及び第二水溶液の量をそれぞれ分配するように構成される。
【００８３】
ある実施形態において、Xの値は、少なくとも1.5又は少なくとも2又は少なくとも2.5又は少なくとも3又は少なくとも4又は少なくとも5である。
【００８４】
ある実施形態において、第一貯蔵部の水溶液は、多くても24wt%、多くても20wt%、多くても16wt%、多くても12wt%、多くても8wt%、多くても7wt%、多くても6wt%、多くても5wt%、多くても4wt%、多くても3wt%、多くても2wt%又は多くても1 wt %の過酸化水素の水溶液と等価の酸化強度を有する。
【００８５】
いくつかの実施形態において、第一水溶液は、多くても24wt%の過酸化水素を含む。
【図面の簡単な説明】
【００８６】
【図１】図1は、ユーザーの毛髪に関して測定された光学的性質に従うカスタマイズされた毛髪染色組成物を作成するシステムのブロック図である。
【図２】図2は、ディスペンサー及び毛髪読取デバイスの例を図示する。
【図３】図3は、ディスペンサー及び毛髪読取デバイスの例を図示する。
【図４】図4は、毛髪染色組成物を作成するためのルーチンフローチャートである。
【図５】図5は、角質性繊維からデータ(例えばスペクトルデータ)を光学的に取得するための方法と装置に関する。
【図６】図6は、角質性繊維からデータ(例えばスペクトルデータ)を光学的に取得するための方法と装置に関する。
【図７】図7は、角質性繊維からデータ(例えばスペクトルデータ)を光学的に取得するための方法と装置に関する。
【図８】図8は、角質性繊維からデータ(例えばスペクトルデータ)を光学的に取得するための方法と装置に関する。
【図９】図9は、角質性繊維からデータ(例えばスペクトルデータ)を光学的に取得するための方法と装置に関する。
【図１０】図10は、角質性繊維からデータ(例えばスペクトルデータ)を光学的に取得するための方法と装置に関する。
【図１１】図11は、角質性繊維からデータ(例えばスペクトルデータ)を光学的に取得するための方法と装置に関する。
【図１２】図12は、角質性繊維からデータ(例えばスペクトルデータ)を光学的に取得するための方法と装置に関する。
【図１３】図13は、角質性繊維からデータ(例えばスペクトルデータ)を光学的に取得するための方法と装置に関する。
【図１４】図14は、酸化的毛髪染色のための組成物を作成するためのディスペンサーシステムに関する。
【図１５】図15は、酸化的毛髪染色のための組成物を作成するためのディスペンサーシステムに関する。
【図１６】図16は、美容薬剤を保存している容器から読み取られるデータに従る、美容薬剤の分配に関する。
【図１７】図17は、美容薬剤を保存している容器から読み取られるデータに従る、美容薬剤の分配に関する。
【図１８】図18は、美容薬剤を保存している容器から読み取られるデータに従る、美容薬剤の分配に関する。
【図１９】図19は、美容薬剤を保存している容器から読み取られるデータに従る、美容薬剤の分配に関する。
【発明を実施するための形態】
【００８７】
実施形態の詳細な説明
添付の請求項は、図面を参照しつつ、実施形態の例に関する本願の詳細な説明を参照することによって、よりよく理解されるだろう。記述、実施形態及び図は、請求項の範囲を制限すべきではない。本開示の方法及び装置のすべての特徴がすべての実装において必要であるというわけではないことを理解すべきである。理解すべきこの開示の全体にわたって、プロセス又は方法が示されていたり記載されていたりするが、方法のステップは、あるステップが、初めに実行される他のステップに依存することが文脈から明確でない限り、任意の順番又は、同時に実行することができる。本願の全体で使用されている通り、用語「してもよい」は、義務的な意義(即ち、「必要」の意味)よりもむしろ、寛容的な意義(即ち、(「し得る」ことの意味)において使用される。
【００８８】
別々の実施形態の文脈において明確に記載されている本発明のある種の特徴が単一の実施形態において組み合わせとして提供してもよいことは理解される。逆にいえば、単一の実施形態の文脈において簡潔に記載されている様々な本発明の特徴は、別々に提供してもよく任意の適切な部分的組み合せとして提供してもよい。
【００８９】
定義
便宜上、本願明細書の記載内容において様々な用語が提示されている。本願の現在の部分又は他の部分で明示的又は暗黙的に定義される程度において、かかる定義は、関連する技術の当業者が使用する定義された用語と一致するものと理解される。更にまた、かかる定義は、かかる使用に一致する最も広い可能性がある意義において解釈されるべきである。
【００９０】
本開示に関して、「画像」は、一又は複数の(i)画像平面の両次元に焦点が合っている画像(以下「2D焦点画像」)及び(ii)画像平面の第一次元にだけに焦点が合っており、第一次元に対して直角である画像平面の第二次元には焦点が合っていない「1Dのみの焦点画像」に関する。画像に関する文脈において、1Dとは、画像平面中の一つの次元(一次元)を指し、2Dは、画像平面中の二つの次元を指す。1Dのみの焦点画像は、本技術分野で知られている任意の光学部品(トーリックレンズを含むがこれに限られない)を使用して発生させることができる。当業者は、他のレンズやレンズ以外の他の光学的構成要素(例えばミラー)を用いてもよいことは理解しているだろう。用語「部分画像」及び「1Dのみの焦点画像」は、互いに置換可能に用いることができる。
【００９１】
「少なくとも1D焦点画像」は、「1Dのみの焦点画像」又は「2D焦点画像」を指す。従って、「少なくとも1D焦点画像」に対する任意の参照は、(i)いくつかの実施形態において、画像が「1Dのみの焦点画像」であってもよいこと、及び(ii)他の実施形態では、画像が「2D焦点画像」であってもよいことを意味する。
【００９２】
焦点が合っている画像の次元数を特定していない「画像」に対する任意の参照は、(いくつかの実施形態において)「1Dのみの焦点画像」に関するものであってもよく、(他の実施形態において)「2D焦点画像」に関するものであってもよい。
【００９３】
画像が「中間の位置」で形成されると、これはそれも意味する(i)2D焦点画像は、中間の位置(例えば単一の中間の位置)で形成される、(ii)1つの1Dのみの焦点画像だけは、単一の中間の位置で形成される、又は、(iii)第一及び第二1Dのみの焦点画像(即ちは、それぞれ、第一及び第二方向(例えば、第一及び第二方向は、互いに直角である)に焦点が合っており、それぞれ、第一及び第二方向に対する直角には焦点があっていない)は、第一及び第二の中間の位置に形成される。従って、「中間の位置」は、1又は複数の中間の位置を指す。
【００９４】
本開示のために、「色分散光学部品」は、光をスペクトル成分に分ける光学的構成要素を指す。色分散光学部品の例として、限定するものではないが、プリズム及び格子が挙げられる。
【００９５】
「光検出器」又は「検出器」は、1又は複数の光電検出器を指し、例えば、光電検出器のイメージセンサーとして及び/又は1D若しくは2Dアレイに構成される。他の例では、光電検出器の1D又は2D「開始」アレイと等価な走査検出装置が用いられる。光検出器において光が画像平面に焦束されると、光検出器の光電検出器は画像平面中にある。
【００９６】
「スリット」は、比較的高いアスペクト比(即ち、長さがその幅よりも著しく大きい)を有する開口部の特定のタイプである。本開示において、「スリット」を必要又は記述している任意の実施形態に関して、開口部に置換することができる。
【００９７】
「色付与剤」という用語は、毛髪染色薬剤(例えば永久毛髪染色のためのもの)、又は、その成分を指す。
【００９８】
特に明記しない限り、「発色剤」という用語は、「染色発色剤」を指し、「前駆体」は、「染色前駆体」を指す。用語「毛髪色付与剤」又は単に「色付与剤」は、毛髪染色薬剤(例えば、永久毛髪染色のためのもの)又はその成分を指す。「毛髪色付与剤」及び「色付与剤」が、互いに置換可能である。「永久毛髪色付与剤」は、(i)永久毛髪染色のための「色付与剤」又は(ii)その成分の一つを指す。
【００９９】
染料前駆体は、一般に、アミン基に対してオルト又はパラのアミン又はヒドロキシ基を有する芳香族ジアミン、ジアミノフェノール及び/又はアミノフェノールである。ピリミジン及びピラゾール誘導体(例えば、ピリミジン置換、ピラゾール置換)は、赤色を強調する色調を呈するために使用するものであり、一般的に染料前駆体と見なされている。
【０１００】
染料発色剤は、単独で、酸化処理を通じて淡い色だけを生み出す酸化染料中間体であるが、より強い色調を作り出すために染料前駆体と組み合わせることができる。染料発色剤置換アミン及び/又はヒドロキシ基は、しばしば、互いにメタ位にある。染料発色剤には、m-フェニレンジアミン、m-アミノフェノール、ナフトール、レゾルシノール、ポリフェノール、ピラゾロン及びそれらの誘導体が含まれる。
【０１０１】
「実質的な大多数」は、少なくとも75%を意味する。いくつかの実施形態において、「実質的な大多数」は、少なくとも90%又は少なくとも95%又は少なくとも99%である。特に明記しない限り、「大多数」は、「少なくとも大多数」を意味する。特に明記しない限り、「少なくとも大多数」は、いくつかの実施形態において、「大多数」が少なくとも実質的な大多数、即ち、少なくとも75%又は少なくとも90%又は少なくとも95%又は少なくとも99%、であることを意味する。
【０１０２】
「色付与剤」、「色付与化合物」、「色付与成分」及び「着色剤」という用語は、本願明細書において置換可能に使用され、着色物質(例えば、染料、色素)を導入することによって色を与えるために用いる任意の化合物を含む(酸化処理染色前駆体、酸化染料発色剤、直接染料及びその任意の組み合わせを含むがこれらに限定されない)。
【０１０３】
この明細書において、「pH調整剤」は、溶液に追加して溶液のpHを低下又は上昇させる化合物又は塩を意味する。言うまでもなく、ある例において、pH調整剤は、緩衝液として機能することができ、このような場合、pH調整剤は、pH調節剤と称してもよい。「乾燥した」タブレットは、10wt%以下、9wt%以下、8wt%以下、7wt%以下、6wt%以下、5wt%以下、4wt%以下、3wt%以下、2wt%以下又は1wt%以下%の水を含むタブレットと理解される。
【０１０４】
色付与剤を含む「タブレットのロード」という用語は、活性毛髪染色成分の重量又はモルに関する。
【０１０５】
特に明記しない限り、物質の「粘度」は、10 s-1のせん断速度、及び、25℃の温度で測定されたものである。特に明記しない限り、「25℃粘度」は、10 s-1のせん断速度で測定されている。
【０１０６】
「略称」cPは、センチポアズ(cP)を指す。特に明記しない限り、「粘度」は、「動的粘度」を指す。
【０１０７】
「流体」という用語は、任意の粘度、例えば、多くても150cP又は多くても125cP又は多くても100cP又は多くても75cPでの液体又はクリームを指す。
【０１０８】
「液体ディスペンサー」という用語は、液体又は乳濁液又はゲル又はクリームを含むがこれに限らず任意の流動可能な培地のディスペンサーに関するものが広く用いられる。本開示において、「電子回路部品」は、ハードウェア、ソフトウェア及び/又はファームウェアの任意の組み合わせを広く記載することを目的とする。
【０１０９】
電子回路部品は、フィールドプログラマブルロジックアレイ(FPLA)要素、ハードワイヤード論理要素、フィールドプログラマブルゲートアレイ(FPGA)要素及び特定用途向け集積回路(ASIC)要素を含むがこれらに限らず任意の実行可能コードモジュール(即ち、コンピューター可読媒体に保存されたもの)及び/又はファームウェア及び/又はハードウェア要素を含むことができる。限定するものではないが、縮小命令セットコンピューター(RISC)アーキテクチャー及び/又は複雑命令セットコンピューター(CISC)アーキテクチャーを含む任意のインストラクションセットアーキテクチャーを用いてもよい。電子回路は、単一の位置において設置されていてもよいく様々な回路素子が互いに有線又は無線で電子通信され得る複数の位置の中で分配されていてもよい。
【０１１０】
本発明の実施形態は、複数のタブレットからの「複数容器とタブレットとの組み合わせ」の分配に関する。これは、複数のN容器である容器1から容器N(Nは、少なくとも2に等しい正の整数)に関して、2つの正の整数i及びj(i≠jであり、i及びjの両方は、少なくとも1に等しく最高でNに等しい)に関して、少なくとも一つのタブレット(いくつかの実施形態において、複数のタブレット)は、容器iから分配され、そして、少なくとも一つのタブレット(いくつかの実施形態において、複数のタブレット)は、容器jから分配されることを意味する。
【０１１１】
ある実施形態において、タブレットディスペンサーが「1又は複数の特性(例えば毛髪染色標的及び/又は毛髪分光データ)に従って」一又は複数のタブレットを分配する場合、タブレットの量(即ち、数又は容積及び/又は重量、例えば、種々のタイプのタブレットが各容器において保存されている複数の容器からのタブレットの相対量)は、特性に従って、例えば、電子回路によって(例えば、毛髪染色の結果を予測するいくつかのアルゴリズムによって)決定される。
【０１１２】
ある実施形態において、液体ディスペンサーは、「1又は複数の特性(例えば毛髪染色標的及び/又は毛髪分光データ)に従って」流動可能な媒体(例えば液体又はクリーム又はゲル又は乳濁液)を分配してもよい。これは、流動可能な媒体の量、例えば、タブレットに対する流動可能な媒体の絶対量若しくは相対量又は第二の(即ち、第二貯蔵部の)流動可能な媒体に対する、第一の(即ち、第一貯蔵部の)流動可能な媒体の相対量に関連するものであってもよい。これは、例えば、貯蔵部の1つの流動可能な媒体をそこで又は他の貯蔵部で希釈してもよい。決定は、電子回路によって(例えば、毛髪染色の結果を予測するいくつかのアルゴリズムによって)実行してもよい。
【０１１３】
角質性繊維の処理における使用に適している固形剤は、本願明細書に開示している。本発明のある実施形態によれば、固形剤は、超崩壊剤を含むタブレットの形態を有する。これは、有利な特徴をタブレットに与える。本願明細書で開示される固形剤は、色付与剤(例えば、染料前駆体、染料発色剤及び直接染料)を更に含んでいてもよく、角質性繊維を処理する他の薬剤(例えば、アルカリ化剤及び酸化剤)と組合せて使用することができ、それを更に含めることができる。
【０１１４】
図1は、ユーザーの毛髪に関して測定された光学的性質に従うカスタマイズされた毛髪染色組成物を作成するシステムのブロック図である。図2及び3は、例えば、図1のシステムにおいて有効な、ディスペンサー及び毛髪読取デバイスの例を図示する。図4は、例えば、図1のシステムを用いて毛髪染色組成物を作成するためのルーチンフローチャートである。
【０１１５】
図5-13は、角質性繊維からデータ(例えばスペクトルデータ)を光学的に取得するための方法と装置に関する。例えば、角質性繊維の複数のスペクトルは、各スペクトルが(i)角質性繊維のそれぞれ異なる部分及び/又は(ii) 少なくとも一部の角質性繊維が配置される空間の種々の小領域の中の素材に一致するように検出してもよい。
【０１１６】
図14-15は、酸化的毛髪染色のための組成物を作成するためのディスペンサーシステムに関する。特に、ディスペンサーシステムの容器のいくつかは、染色前駆体含み実質的に発色剤を含まない一方で、他の容器は発色剤を含み実質的に染料前駆体を含まないように、染料前駆体を発色剤から分離することは可能である。ディスペンサーデバイスは、容器の内容物を分配して第一及び第二容器からの素材を含む複数の容器の組み合わせを提供するように構成されている。
【０１１７】
図16-19は、(例えば毛髪染色のための、又は、任意の他の美容用途のための)美容薬剤の分配に関するものであり、各容器に関しては、美容素材の物理的及び/又は化学的特性を記載しているデータが容器にエンコードされている。このデータは、容器からデータ読取装置に従って容器から美容素材を分配する分配デバイスに動作可能に接続したコード読取装置によって読み取られる。
【０１１８】
図1-4についての説明
図1は、(i)毛髪の光学的性質を測定し、(ii)測定された光学的性質に従って、容器から素材を分配し、カスタマイズされた毛髪染色組成物を提供するためのシステムのブロック図である。例えば、ユーザーは、標的色調に彼／彼女の毛髪を着色することを望む。ユーザーの「初期の毛髪」の光測定を実行して、ユーザーの毛髪の初期の状態と毛髪染色標的に従ってカスタマイズされた毛髪染色組成物を作成する。
【０１１９】
図1は、毛髪読取装置3110、システムコントローラー3120及びディスペンサーデバイス3130を図示している。図1の非制限的な例にとして、システムコントローラー3120は、製法調査エンジン3150、予測エンジン3160及び製法評価エンジン3170を含む分配決定エンジン3140を含む。
【０１２０】
毛髪読取装置3110は、例えば、毛髪を照らし、毛髪によって反射及び/又は透過及び/又は屈折した光を検出することによって、毛髪から光データを取得する。システムコントローラー3120(例えば、デジタルコンピューターを含む)は、光データ及び毛髪標的データ(例えば、ユーザーを望む標的色調を記載しているもの)を受け取る。受け取ったデータによって、システムコントローラー3120(例えば、分配決定エンジン3140)が、毛髪染色組成物(例えば、ディスペンサー3110に保存される複数の異なる材質のそれぞれの量を含むもの)に関するカスタマイズされた製法を使用して、算出する。
【０１２１】
ディスペンサーは、毛髪染色組成物に関する素材を(例えば、混合槽(図1では不図示)に)分配する。これらの素材は、自動又は手動で混合して、ユーザーの毛髪に与える、カスタマイズされた毛髪染色組成物を形成してもよい。
【０１２２】
毛髪染色薬剤のディスペンサー3130の1つの非制限的な例は、図2に図示している。この非制限的な例において、複数の容器180A-180Qは、各容器にそれぞれ異なる毛髪染色関連素材が含まれるように、ディスペンサー3130に係合する。ディスペンサー3130は、これらの素材の組み合わせを、例えば、ポート182に設置する混合槽(不図示)に分配する。
【０１２３】
図1の例において、システムコントローラー3120は、(a)毛髪染色組成物のための分配する素材のための好ましい製法を算出する分配決定エンジン3140を含む。この目的のために、多くの候補製法を考慮し、製法調査エンジン3150によって比較的「多く」の数の可能性から選択してもよい。候補製法毎に、候補製法に従ってユーザーの毛髪処理の予測結果は、予測エンジン3160によって算出して評価エンジン3170によって評価することができる。例えば、評価エンジン3170は、予測結果と、ユーザーが望む色調を記載している毛髪標的データとを比較してもよい。
【０１２４】
一つの例において、3140、3150、3160及び/又は3170の1又は複数は、揮発性又は不揮発性メモリーに保存されたソフトウェアとして実装される。
【０１２５】
図3A-3Bは、いくつかの実施形態に従う毛髪読取装置3110の非制限的な例を図示している。毛髪読取装置3110は、(例えば不透明)筐体804及び窓808を備える。図3Bにおいて、複数の角質性繊維812は、「y」軸に対応するアライメント軸に沿って実質的に一直線に並べられている。
【０１２６】
図4は、例えば、図1のシステムを使用する、毛髪染色のための技術の非制限的な例のフローチャートである。ステップS101において、ユーザー標的データを受け取り(例えば揮発性及び/又は不揮発性コンピューター可読記憶装置に)保存する。一般的に、ユーザー標的データは、選択された色調又は色に関する。例えば、ユーザーは、選択された色調又は色に彼／彼女の毛髪を着色することを希望する。ステップS105において、ユーザーの毛髪の特徴が、例えば、(例えば、少なくとも一つの毛髪反射値を測定するため、又は、毛髪反射スペクトルを測定するために)少なくとも毛髪読取デバイス(例えば、後述する、図2又は4に図示しているもの、又は、PCT/IB2012/051351に開示されているもの、又は任意の関連毛髪読取デバイス)を使用して測定される。ステップS109において、これらの特徴を電子的に分析してもよい。図4の技術によれば、(i)(例えば、ステップS105において測定され、ステップS109において分析される)処理前のユーザー毛髪の初期状態と、(ii)ユーザー標的データに特異的である「カスタマイズされた」毛髪処理を算出することが可能である。
【０１２７】
「ユーザー標的」という用語は、一般的に、例えば、色空間(例えば、Hunter Lab色空間又は任意の他の色空間)の値として表現可能な標的色合いを含む。標的色合いに加えて、ユーザー標的データは、任意の提案された毛髪処理のいくつかの他の所望の特徴(例えば、「根のみの」、その反対の「全毛幹」、最大の処理時間等)も含んでいてもよい。
【０１２８】
複数の仮定又は「候補」毛髪処理プロトコールを分析して考慮してもよい。「毛髪処理」は、(A)毛髪に与えられる毛髪染色組成物(又は、順次又は同時に与え得る複数の毛髪染色組成物(例えば、染料含有組成物及び漂白組成物))の内容物及び/又は(B)他の処理パラメーター(例えば、処理期間、処理温度)の任意の一つに関するものであってもよい。「毛髪処理」を算出又は特定することは、1又は複数の毛髪染色薬剤の毛髪染色組成物(例えば「複数薬剤」組成物)の少なくとも絶対若しくは相対量又は「ロード」(即ち、用語モル、重量、容積、従来技術で知られている任意の他の様式にて表現されるもの)を特定することを含んでいてもよい。「毛髪染色薬剤」という用語には、人工着色剤/染料、酸化剤、アルカリ化薬又は一時的又は半永久的又は準永久的又は永久的な毛髪染色に関する技術で使用する他の物質が含まれていてもよい。毛髪染色薬剤は、任意の相又は形態であってもよく、それらには、限定するものではないが、従来技術において知られている液体、ゲル、ムース、クリーム、固体、粉末、タブレット又は任意の他の形態が含まれる。任意に、「毛髪処理」には、処理時間、処理温度、多段処理又は任意の他の処理パラメーターに関するデータが含まれる。例えば、毛髪処理には、毛髪染色薬剤の複数の異なる組み合わせ(例えば、種々のステージにおいて与えられる染色混合物及び脱色混合物)の生産を伴っていてもよい。
【０１２９】
本開示に関して、「仮定」及び「候補」という用語は、互いに置換可能に使用されており、実行してもしなくてもよい可能性がある処理を指す。
【０１３０】
一般的に、各ユーザーの毛髪の特定の特性は、(例えば、彼／彼女の遺伝子型、年齢、環境効果等に基づいて)非常に独特であり、潜在的な標的色調又は色の数は、比較的大きいだろう。初期及び標的毛髪特徴は、可能性がある組み合わせが無数存在するため、可能性がある候補/仮定毛髪処理プロトコールの数は、極めて多いだろう。そして、毛髪処理プロトコールを効果的(又は、最も効果的)に予測して毛髪を、その初期状態から、ステップS101において受け取った標的データと一致する状態に変換することを必ずしも事前に知れるわけではない。
【０１３１】
このように、複数の仮定毛髪処理を電子的に分析して初期毛髪を標的色に成功裏に変換する処理を同定する必要があるだろう。
【０１３２】
これは、ステップS113及びS117においてなされる。従って、ステップS113において、毛髪に関するプロトコール後の状態は、ステップS105で測定した毛髪特徴と特定候補毛髪処理に関して予測される。ステップS117において、このプロトコール後の状態がユーザー標的データの仕様と一致するか否かを電子的に決定する。
【０１３３】
「毛髪色処理」という用語は、着色剤(例えば、人工着色剤)を毛髪に導入(即ち「染色」)することに限定されない。
【０１３４】
1つの非制限的な例において、(i)ステップS105で、1つ又は複数の初期反射スペクトルを測定し、(ii)ステップS113で、仮定の処理後反射スペクトルは、初期反射スペクトル及び候補毛髪処理プロトコールの規定から算出され、色値(例えばLAB値)は、仮定の処理後反射スペクトルから算出され、(iii)ステップS117で、この初期毛髪特異的及び候補プロトコール特異的LAB値は、ステップS101において受け取ったユーザー標的データと関連したLAB値と比較される。
【０１３５】
種々の実施形態において、反射スペクトル、透過スペクトル、屈折光のスペクトル及び吸収スペクトルを測定することが可能である。
【０１３６】
ステップS121において、ユーザー標的データと一致するプロトコールが選択される。任意に、例えば、複数の候補プロトコールがユーザー標的データと一致する場合、これらの候補プロトコールを分析及び/又は評価してもよく、それに従って、より好ましくマッチしている毛髪染色プロトコールを選択してもよい。
【０１３７】
ステップS125において、選択された毛髪染色プロトコールに従って、複数の毛髪染色薬剤に関する毛髪染色薬剤のそれぞれの量は、ステップS121において選択される毛髪染色プロトコールの規定に従ってそれぞれ分配される。
【０１３８】
毛髪染色薬剤のディスペンサーの1つの非制限的な例を図2に図示している。この非制限的な例において、それぞれ異なる毛髪染色薬剤は、複数の容器180A-180Qの各容器に配置される。ステップS121の結果に応答して、少なくとも2又は少なくとも3又は少なくとも4又は少なくとも5又は少なくとも任意の数の毛髪染色薬剤に関して、各毛髪染色薬剤のそれぞれの量は、ポート192に設置された槽(不図示)に分配される。
【０１３９】
いくつかの実施形態において、ディスペンサーは、自動であり、分配される毛髪染色薬剤の量を調節するための電子回路を備える。
【０１４０】
本開示に関して、いくつかのコンピューターによる及び/又は電子的な操作の結果(例えば、仮定後毛髪処理スペクトル(例えば反射スペクトル)又はそれから導き出される色値の予測)に従う複数の毛髪染色薬剤の分配は、2つの状態：(i)(当業者であれば、本願明細書に組み込まれるPCT/IB2012/051351を対象にする)分配デバイスを電子回路が自動制御する状態及び/又は(ii)電子回路の予測から算出された毛髪染色命令を(例えば、コンピュータースクリーン又は任意の他の方法を介して視覚的に)ヒトユーザーに伝える状態の1又は複数を指す。毛髪染色命令は、毛髪染色薬剤の相対量に関するものであってもよく、ヒトユーザーは、命令に従って、例えば、コンピューターが提供した命令による指定の量に従って毛髪染色薬剤を分配する。化学薬品のための容器は、任意の形態要因(例えば、硬質容器、チューブ等)を有してもよく、図2に図示するようにディスペンサーデバイスに搭載されていたり、「接続されていない」又は搭載されていない容器であったりしてもよい。
【０１４１】
一旦、これらの薬剤が槽に分配されると、1又は複数のステップを、任意に、実行して槽（不図示）の内容物を毛髪染色混合物に変換してもよく、その後、それをユーザー毛髪に与えて毛髪を着色してもよい。
【０１４２】
本開示に関して、用語「入力角質性繊維」及び「初期毛髪」は、互いに置換可能に使用される。両者は、1又は複数の仮定毛髪処理の最終状態を予測するために一又は複数の測定(例えば、毛髪反射スペクトルを測定する、例えば、光計測及び/又は反射測定)を受ける角質性繊維(例えば毛髪)を指す。
【０１４３】
熟練した職人は、図4のすべてのステップがすべての実施形態に必要というわけではなく、図4のステップの順番に限定されないことを理解している。ステップは、種々の順番に実行してもよく、追加のステップを実行してもよく、そして、1又は複数のステップを修正してもよい。
【０１４４】
図5-13の説明
本発明の実施形態は、例えば、(しかしながら、限定するものではないが)ステップS105及びS109の状況において、一群の角質性繊維(例えばヒト毛髪)のスペクトルデータを取得するための装置及び方法に関する。現在開示されているシステム及び方法の1つの用途は、例えば、仮定毛髪処理を算出又は選択する毛髪染色に関する。この例では、好ましい毛髪処理(例えば、ステップS113-S121において算出されるもの)は、(i)毛髪の初期状態及び(ii)ユーザー特定標的(例えば、毛髪に対する所望の色調又は色)の両方に依存してもよい。
【０１４５】
この目的のために、毛髪の初期状態を(例えばステップS109において)特徴づけた場合、素人及び/又は「眼が肥えていない観察者」が、類似の「灰色毛髪」外観を共有する2種類の毛髪の両方をスペクトル的に及び/又は自動的に区別することが望ましい。
【０１４６】
第一毛髪タイプは、「天然灰色」-天然毛髪色素含有毛幹(例えば、メラニン含有毛幹(例えば、黒色毛幹ト又は赤色毛幹ト又はブロンド毛幹又はブラウン毛幹又は他の天然色毛幹))及び天然白色毛幹(例えば、年齢、白化又は毛髪に白色を自然に与え得る任意の他の理由が原因)の混合体と称してもよい。種々のタイプの毛幹の組み合わせは、眼が肥えていない観察者には、「灰色」であると単純に見えるだろう。
【０１４７】
第二毛髪タイプは、「人工の灰色」(人工着色剤によって着色された毛幹)と称してもよい。一般的に、第二毛髪タイプに関していえば、毛幹は、第一毛髪タイプよりも、色に関して互いに類似している傾向がある。従って、全体として、一群の角質性繊維(例えば毛幹)を考慮すると、第二タイプのそれらは、第一グループのそれらよりも色に関して均質である。
【０１４８】
「毛髪タイプ」という用語は、複数の毛幹(例えば、ユーザーの頭の毛髪の「混合体」)の特徴を指す。
【０１４９】
訓練された専門家は、第一及び第二毛髪タイプを区別できるだろうが、多くの状況では、そのような専門家を利用することができない及び/又はこのアプローチは実用的ではない。1つの非制限的な例において、毛髪のスペクトルデータは、予測された処理後毛髪スペクトル及びそれからのLAB値を算出するために取得され、そして、第一及び第二タイプの毛髪を区別するためにスペクトルデータを使用することも有効であろう。
【０１５０】
種々の例において、様々なタイプの毛髪が図として概略的に図示されている。図5に図示する通り、(i)一般的な毛幹の平面図又は側面図は、「鎖線」パターンとして図示し、(ii)一般的な髪の毛の断面図は、「レンガ」パターンによって図示している。また、図5は、(i)白色毛幹(例えば天然白色、例えば実質的にメラニンを欠いているもの)、(ii)黒色毛幹(例えば天然の黒い毛髪、例えばメラニンの存在による色)、(iii)灰色毛幹(例えば、色は、人工着色剤に起因する)に関する。
【０１５１】
図6は、毛髪読取デバイスの窓808上の実質的に一直線に並べられた毛幹の拡大図である。窓808は、(例えばガラス又はプラスチックの)透明表面820及び筐体804の透明表面820をサポートするための支持フレーム816を備える。
【０１５２】
図7Aから7Bは、スペクトル毛髪読取装置3110の窓上の複数の角質性繊維を図示している。図7Aは断面図であり、図7Bは側面図である。照明光源118は、角質性繊維を図示しており、そこからの光(例えば、拡散反射の主要な光)は、スリット又は開口部120を通過する。図7Aのシステムの追加の構成要素は、図11A-11Bに図示して、後述している。
【０１５３】
非制限的な実施形態において、繊維は、白色光、多色光、広帯域光及び/又はインコヒーレント光によって照らしてもよい。
【０１５４】
図8は、毛幹812の断面図の拡大図である。毛幹がアライメント軸「y」に沿って一直線に並べられるため、毛幹は、アライメント軸yに対して垂直な2つの「水平軸」を規定し、x軸及びz軸の両方は、図8に図示している。
【０１５５】
図9は、図6の毛幹の平面図の拡大図である。図9に示すように、毛幹が配置される領域は、3つの部分又はスライス(i)毛幹812A、812Bが配置されるスライス840A、(ii)毛幹812C、812Dが配置されるスライス840B及び(iii)毛幹812E、812Fが配置されるスライス840Cに分割してもよい。
【０１５６】
図9の非制限的な例は、比較的「単純な」ケースを示しており、各スライスは、同じ数の毛幹を含み、あらゆる毛幹は、各単一スライス内に含まれている(即ち、複数のスライスに部分的に配置された毛幹が存在しない)。当業者は、これに制限されないと理解しているだろう。
【０１５７】
本発明の実施形態は、装置に関するものである。これによって、全ての毛幹に関して、単一のスペクトル(例えば反射及び/又は吸収及び/又は透過スペクトル)を測定する代わりに、各スライス又は小領域に関するそれぞれ異なるスペクトル(例えば、スライス840A内に配置されている毛幹の第一スペクトル、スライス840B内に配置されている毛幹の第二スペクトル、そして、スライス840C内に配置されている毛幹の第三スペクトル)を測定することができる。
【０１５８】
図10は、この現在開示されている毛髪スペクトル関連技術の1つの適用を図示している。ケース1は、第一毛髪タイプ(「天然灰色」として称されるもの)に関する。ケース1によれば、(i)以下の毛幹は、白色毛幹812A、812C及び812Dであり、(ii)以下の毛幹は、黒色毛幹812B、812E及び812Fである。ケース2は、第二毛髪タイプ(「人工の灰色」と称されるもの)に関するものであり、全ての毛幹は、人工着色剤によって着色されている。明らかにケース2では、毛幹色は、ケース1よりも均質性の程度が大きい。
【０１５９】
本発明の実施形態は、状況に関するものであり、全ての照らされた毛幹の平均のいくつかで描写した単一の毛髪スペクトルを測定する代わりに、複数のスライスから選択されたスライス毎に、それぞれの毛髪スペクトルを決定することができる。図10のケース1において、スライス毎にそれぞれの毛髪スペクトル間に有意な相違を観察することは可能であろう。スライス840Cに対応するスペクトルは、「ダーク毛髪」スペクトルであろう。スライス840Bに対応するスペクトルは、「白色毛髪」スペクトルであろう。そして、スライス840Aに対応するスペクトルは、「灰色髪」スペクトルであろう。対照的に、図10のケース2では、全3つのスペクトルは、非常に類似しているだろう。
【０１６０】
従って、いくつかの実施形態において、(i)複数のスペクトル(各スペクトルは、それぞれ異なるスライス840に対応する)を互いに比較して、その間である程度の類似性を算出し、(ii)測定された類似性(又は、相違)の程度に従って、「ケース1」と「ケース2」に区別することが可能であり、ケース2の場合、より程度が大きいスライス特異的毛髪ペクトルの類似性が観察されるだろう。
【０１６１】
図11Aは、毛幹に関する複数のスペクトルを測定する装置の非制限的な例である。各スペクトルは、毛幹(又は、その部分)に関するそれぞれ異なるセットが配置されているそれぞれ異なるスライスに対応する。図11Aの1つの顕著な特徴は、2つのイメージングシステム1080及び1070の存在である。各々は、光学的構成要素に関するそれぞれ異なるセットを備える。
【０１６２】
図12に図示している1つの非制限的な例において、検出器180は、光電検出器のアレイ(例えば、二次元のもの、例えば、プレーナーアレイ)を備え、図12の例において、これは、8 x 3アレイであるが、(例えば、少なくとも2つの行と少なくとも2つの列を含む)次元の任意の他のセクションを使用してもよい。例えば、CCD又はCMOSアレイを使用してもよい。
【０１６３】
ある実施形態において、(i)毛幹812が物体平面に設置され、(ii)スリット又は開口部120が画像平面に設置されるため、イメージングシステム1080は、毛幹812から反射及び/又は屈折及び/又は透過された光を、この反射及び/又は屈折及び/又は透過された光がスリット又は開口部120を通過する前に焦束させる働きをする。この非制限的な実施形態において、「画像」平面に設置された画像は、「中間画像」である。(例えばスリット又は開口部120における)「中間画像」は、1Dのみの焦点画像(例：例えば、x軸に沿う毛髪アライメント軸812に対して垂直な次元に焦点が合っているもの)であってもよい(図6のうちの992を参照)。
【０１６４】
ある実施形態において、毛髪スリット120(又は、中間画像となる他の「中間」位置)は、物体平面にあり、光電検出器180(例えば、その平面二次元アレイ、例えばCCD又はCMOSアレイ)は、画像平面180にあるため、イメージングシステム1070は、毛幹から反射及び/又は屈折及び/又は透過された光を、スリット120を通過した後に焦束する働きをする。従って、光電検出器180は、毛幹812の画像が存在するスリット120の画像(「画像の画像」)を受け取る。
【０１６５】
あるいは、光電検出器(即ち「開始」システム)の二次元アレイの代わりに、走査システムを使用して、例えば、イメージングシステム1070の焦点面で二次元画像を検出する効果をもたらしてもよい。
【０１６６】
画像は、スリット又は開口部120に正確に設置される必要がない。光路間に沿って任意の位置及びに他の中間の位置に設置してもよい。
【０１６７】
また、格子150が図11に図示されている。あるいは、プリズムを用いてもよい。
【０１６８】
他の例において、波長又は「色」(即ち、可視域又は任意の他のスペクトルのもの)に対して感度を有する光電検出器を使用して、反射スペクトル及び/又は吸収スペクトル及び/又は透過スペクトルを検出することが可能である。
【０１６９】
同様に、スリット又は細長い開口部の要件は存在しない。他の光学的構成要素(例えばレンズ)を構成してこの機能を提供してもよい。
【０１７０】
従って、ある実施形態は、角質性繊維のスペクトルデータ(例えば反射、吸収又は透過スペクトル)を測定するように構成された任意のデバイス(例えばモノクロメーターデバイス)に関する。
【０１７１】
図12の非制限的な例にて図示している通り、(i)光電検出器180の2Dアレイの行Aは、スライス840A内で角質性繊維のスペクトルデータを検出するために用いられ、(ii)光電検出器180の2Dアレイの行Bは、スライス840B内で角質性繊維のスペクトルデータを検出するために用いられ、(iii)光電検出器180の2Dアレイの行Cは、スライス840C内で角質性繊維のスペクトルデータを検出するために用いられる。かかるスペクトルの例は、図12の右側の欄に図示されている。
【０１７２】
図13は、毛髪染色製法を算出するための及び/又は毛髪染色薬剤を(例えば、図3のディスペンサーから)分配するための技術のフローチャートである。ステップS301において、複数の反射スペクトルが測定される。各スペクトル(例えば、スライス840A内の毛幹に特異的な第一スペクトル、スライス840B内の毛幹に特異的な第二スペクトル、そして、スライス840C内の毛幹に特異的な第三スペクトル)は、それぞれ異なるスライスに対応する。
【０１７３】
ステップS309において、スライス特異的スペクトルは、互いに比較される。そして、複数のスペクトルの類似性を描写するパラメーターを算出してもよい。例えば、スペクトルが比較的互いに類似している場合、製法S313は「均質の灰色」をもたらすだろう(図10のケース2を参照)。あるいは、スペクトルが互いにあまり類似していない場合、不均質な毛髪混合体に特異的製法が提供されだろう(図10のケース1を参照)。毛髪染色薬剤は、算出された毛髪染色製法に従って分配してもよい。
【０１７４】
図14-15の説明
本開示の実施形態は、「染色発色剤」及び「染色前駆体」を分配する装置及び方法に関する。ある実施形態において、図14Aを参照して、その毛髪染色組成物を作成するシステム270は、a. 複数の容器280(各容器280は、そこにおいて、種々の永久毛髪色付与剤を保持している)と、b. その容器の内容物を分配して毛髪染色薬剤又は成分に関する複数の容器の組み合わせを提供するように構成されたディスペンサーと、を備える。
【０１７５】
ある実施形態において、複数容器のうちの一つ(例えば容器280A)の内容物は、染料前駆体を含み染料発色剤を実質的に含まない。容器の内容物が「染料前駆体を含み」、染料発色剤を「実質的に含まない」場合、(i)内容物は、染料前駆体だけを含み染料発色剤を含まない、又は、(ii)容器の内容物における重量比、染料前駆体:染料発色剤は、少なくとも1.5:1又は少なくとも2:1又は少なくとも3:1又は少なくとも5:1である、少なくとも10:1、少なくとも50:1、少なくとも100:1、少なくとも500:1、少なくとも1000:1、少なくとも5000:1又は少なくとも10,000:1であることを意味する。
【０１７６】
上記の通り、ある実施形態において、複数容器のうちの一つ(例えば容器280A)の内容物は、染料前駆体を含み染料発色剤を実質的に含まない。代わりに又は付加的に、容器のうちの別の一つ(例えば容器280B)の内容物は、染料発色剤を含み染料前駆体を実質的に含まない。容器の内容物が「染料発色剤を含み」、染料前駆体を「実質的に含まない」場合、(i)内容物は、染料発色剤だけを含み染料前駆体を含まない、又は、(ii)容器の内容物における重量比、染料発色剤:染料前駆体は、少なくとも1.5:1又は少なくとも2:1又は少なくとも3:1又は少なくとも5:1である、少なくとも10:1、少なくとも50:1、少なくとも100:1、少なくとも500:1、少なくとも1000:1、少なくとも5000:1又は少なくとも10,000:1であることを意味する。
【０１７７】
後述するように、ある実施形態において、ディスペンサーは、自動であり、例えば、(i)毛髪染色標的及び/又は(ii)毛髪分光データの少なくとも一つのものに従って、容器280の内容物を自動的に分配して複数容器の組み合わせを提供する。あるいは、ディスペンサーは、手動操作であってもよい。
【０１７８】
理論に束縛されるものではないが、本発明者は、色付与剤を分配する複数容器デバイスに関して、ある種の標的毛髪染色組成物をたらす2以上の「経路」又は方法があってもよいことを発見した。例えば、特異的特性を有する毛髪染色組成物HCCをもたらすために、(i)容器A 280Aからの色付与剤CIA_Aの量QA1、容器C 280Cからの色付与剤CIA_Cの量QC1及び容器G 280Gからの色付与剤CIA_Gの量QG1を分配してこれらの色付与剤を共に混合する、又は、(ii)容器D 280Dからの色付与剤CIA_Dの量QD1、及び容器E 280Eからの色付与剤CIA_Eの量QE1を分配することが可能であってもよい。しかしながら、本発明者は、染料前駆体を染料発色剤から分離することによって、ある種の毛髪染色の供給を(即ち、混合によって)もたらすように利用可能な「経路」又は染色薬剤組成物の数を増加させることが可能であるとことを明らかにした。
【０１７９】
ディスペンサー270の使用の間、種々の容器の毛髪染色薬剤が枯渇して、種々のタイミングで交換を必要とするだろう。例えば、全ての容器が毛髪染色薬剤の供給を同時に枯渇させるというわけではない。しかしながら、「特定の容器」内の色付与剤の存在を要求することなく様々な色の組合せを提供することが可能である場合、ユーザーは、特定の容器の容器が枯渇しているときでも、様々な色の組合せを達成する「経路」の代替の組み合わせが他の容器(即ち、「特定の容器」以外のもの)の内容物を使用するだけで利用可能な限り、ディスペンサーを使用し続けることができる。
【０１８０】
一般に、利用可能な「経路」又は「混合の組み合わせ」の数を(即ち、前駆体及び発色剤の分離によって)増加させるシステムを実装することによって、ディスペンサー270のユーザーは、内容物が枯渇した容器を直ちに補充する必要がより少ないディスペンサーを操作することが可能である。
【０１８１】
ディスペンサー270が自動である場合に関して、ディスペンサー270は、毛髪色付与剤を分配するために必要な機械的及び/又は電気的構成要素の任意の組み合わせを含んでいてもよい。
【０１８２】
図14Aは、永久毛髪染色に関連した薬剤を標的槽290に分配するシステム270の概略図である。薬剤は、容器280において保存されている。図1Aの非制限的な例において、システムは、7つの容器280A-280Gを備えている。各容器内において、例えば、永久毛髪染色に関連したそれぞれの毛髪染色薬剤が保存されている。
【０１８３】
レバー284の操作は、容器から素材をポート288内に設置された標的槽292に分配する。素材は、順次又は同時に分配してもよい。図14Bにおいて、容器C 280Cからの素材を槽292に分配する。図14Cにおいて、容器E 280Eからの素材を槽292に分配する。
【０１８４】
従って、システムを分配することは、複数容器の任意のサブセットから色付与剤を分配して任意の複数容器の組み合わせを提供するように構成されている。
【０１８５】
各容器280から配置される色付与剤の量は、手動又は自動で決定してもよい。一実施形態として、量は、(i)毛髪染色標的及び/又は(ii)毛髪分光データのうちの少なくとも一つに従って算出される。
【０１８６】
容器内において、染色薬剤は、固体物質(例えば、タブレットとして、又は、粒子状物質(例：粉末)として)、液体、クリーム、ゲル、乳濁液若しくは任意の他の相又はその組み合わせとして提供してもよい。各容器における染色薬剤は、同じ相にある必要はない。これを、限定するものではないが、(i)染料前駆体を含み染料発色剤を実質的に含まない容器及び/又は(ii)固体物質(例えば、タブレットとして、又は、粒子状物質(例：粉末)として)、液体、クリーム、ゲル、乳濁液若しくは任意の他の相又はその組み合わせであってもよいものを含む容器を備える任意の容器に与える。
【０１８７】
第一の非制限的な例において、(i)第一容器280A内の染色薬剤は、染料前駆体を含み染料発色剤を実質的に含まず、(ii)第二容器280B内の染色薬剤は、染料発色剤を含み染料前駆体を実質的に含まず、(iii)第一280A及び第二280B容器の各々の中のそれぞれの染色薬剤は、固体物質(例えば、タブレットの形態)として提供される。
【０１８８】
第二の非制限的な例において、(i)第一容器280A内の染色薬剤は、染料前駆体を含み染料発色剤を実質的に含まず、(ii)第二容器280B内の染色薬剤は、染料発色剤を含み染料前駆体を実質的に含まず、(iii)第一280A及び第二280B容器の各々の中のそれぞれの染色薬剤は、液体又はゲル又はムースとして提供される。
【０１８９】
第三の非制限的な例において、(i)第一容器280A内の染色薬剤は、染料前駆体を含み染料発色剤を実質的に含まず、(ii)第二容器280B内の染色薬剤は、染料発色剤を含み染料前駆体を実質的に含まず、(iii)第一280A容器内の染色薬剤は、固体物質(例えばタブレットフォーマット)として提供され、第一280A容器内の染色薬剤は液体として提供される。
【０１９０】
1又は複数の容器が、毛髪色付与剤を含む1又は複数のタブレットを備える実施形態を以下で述べる。
【０１９１】
タブレットに関連したいくつかの実施形態において、1又は複数(例えば、少なくとも1、少なくとも2、少なくとも5又は少なくとも10又は、少なくとも25又は少なくとも50又は少なくとも100個のタブレットが第一容器280Aに配置されており、各タブレットに関して、染料前駆体と発色剤との重量比は、少なくとも1.5:1又は少なくとも2:1又は少なくとも3:1又は少なくとも5:1、少なくとも10:1、少なくとも50:1、少なくとも100:1、少なくとも500:1、少なくとも1000:1、少なくとも5000:1又は少なくとも10,000:1又は無限である(例えば、分母がゼロの値を有すると、比率が不定若しくは近似又は無限になる)。
【０１９２】
ある実施形態において、(i)容器の第一280Aにおいて、そこに配置される全てのタブレットの大多数又は実質的な大多数は、容器における発色剤と染料前駆体の重量比が少なくとも1.5:1又は少なくとも2:1又は少なくとも3:1又は少なくとも5:1、少なくとも10:1、少なくとも50:1、少なくとも100:1、少なくとも500:1、少なくとも1000:1、少なくとも5000:1又は少なくとも10,000:1又は無限であり(例えば、分母がゼロの値を有すると、比率が不定若しくは近似又は無限になり)、(ii)容器の第二280Bにおいて、そこに配置される全てのタブレットの大多数又は実質的な大多数は、容器における染料前駆体と発色剤の重量比が少なくとも1.5:1又は少なくとも2:1又は少なくとも3:1又は少なくとも5:1、少なくとも10:1、少なくとも50:1、少なくとも100:1、少なくとも500:1、少なくとも1000:1、少なくとも5000:1又は少なくとも10,000:1又は無限である(例えば、分母がゼロの値を有すると、比率が不定若しくは近似又は無限になる)。
【０１９３】
任意の容器において、任意の数(例えば、少なくとも1、少なくとも2、少なくとも5又は少なくとも10又は少なくとも25又は少なくとも50又は少なくとも100個)のタブレットが存在していてもよい。
【０１９４】
種々の「ロード」に関する実施形態を以下で述べる。「第一タイプ」のタブレットは、染料前駆体を含み染料発色剤を実質的に含まず、「第二タイプ」のタブレットは、染料発色剤を含み染料前駆体を実質的に含まない。
【０１９５】
色付与剤を含む「タブレットのロード」という用語は、活性毛髪染色成分の重量又はモルに関する。
【０１９６】
「第一タイプ」のタブレットに関して、「重量あたりのロード」は、タブレット内の染料前駆体の重量(例えばグラム)である。「第二タイプ」のタブレットに関して、「重量あたりのロード」は、タブレット内の染料発色剤の重量(例えばグラム)である。「第二タイプ」のタブレットに関して、「モルあたりのロード」は、タブレット内の染料前駆体のモル数である。「第二タイプ」のタブレットに関して、「モルあたりのロード」は、タブレット内の染料発色剤のモル数である。
【０１９７】
ある実施形態において、(i)第一容器280Aにおける少なくとも大多数のタブレットの各々(又は、少なくとも実質的な大多数のタブレットの各々又は全てのタブレットの各々)は、第一タイプである、及び/又は(ii)第二容器280Bにおける少なくとも大多数のタブレットの各々(又は、少なくとも実質的な大多数のタブレットの各々又は全てのタブレットの各々)は、第二タイプである、及び/又は(iii)第三容器280Cにおける少なくとも大多数のタブレットの各々(又は、少なくとも実質的な大多数のタブレットの各々)は、第一タイプであり、及び/又は(iv)第四容器280Dにおける少なくとも大多数のタブレットの各々(又は、少なくとも実質的な大多数のタブレットの各々)は、第二タイプである。
【０１９８】
第一実施例によれば、同じ染料前駆体が、しかしながら種々のロードで第一280A及び第三容器280Cに保存されている。従って、第一実施例において、(i)第一容器280A内のタブレットのセットであるTABLET_SET1及び(ii)第三容器280C内のタブレットのセットであるTABLET_SET3の間のロード又は容積を比較することが可能であり、TABLET_SET1の全てのタブレット及びTABLET_SET3の全てのタブレットは、「第一タイプ」であり、同じ染料前駆体を含み、すべてが染料発色剤を実質的に含まない。この第一実施例において、第一280A容器内にで保存されている、少なくとも大多数又は少なくとも実質的に大多数又は全てのタブレットは、TABLET_SET1セットのメンバーであり、第三280C容器内に保存されている、少なくとも大多数又は少なくとも実質的に大多数又は全てのタブレットは、TABLET_SET3セットのメンバーである。この第一実施例において、TABLET_SET1セットのタブレットの平均容積は、VOL1であり、TABLET_SET1セットのタブレットの平均ロード(モルあたりのもの)は、LM1であり、TABLET_SET1セットのタブレットの平均ロード(重量あたりのもの)は、LW1である。例えば、TABLET_SET1の全てのタブレットは、同じ容積又はロード(重量あたりのもの)又はロード(モルあたりのもの)を有してもよい。この第一実施例において、TABLET_SET3セットのタブレットの平均容積は、VOL3であり、TABLET_SET3セットのタブレットの平均ロード(モルあたりのもの)は、LM3であり、TABLET_SET3セットのタブレットの平均ロード(重量あたりのもの)はLW3である。例えば、TABLET_SET1の全てのタブレットは、同じ容積又は同じロード(重量あたりのもの)又は同じロード(モルあたりのもの)を有していてもよい。代わりに又は付加的に、TABLET_SET3の全てのタブレットは、同じ容積又は同じロード(重量あたりのもの)又は同じロード(モルあたりのもの)を有していてもよい。
【０１９９】
この第一実施例によれば、以下の少なくとも1つ又は少なくとも2又は少なくとも3つは、真である:(i)ロード-重量比LW1/LW3は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、及び/又は、(ii)ロード-モル比LM1/LM3は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、及び/又は、(ii)容積比VOL1/VOL3は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である。
【０２００】
代わりに又は付加的に、第二実施例によれば、同じ染料発色剤が、しかしながら種々のロードで第二280B及び第四容器280Dに保存されている。従って、第二実施例において、(i)第二容器280B内のタブレットのセットであるTABLET_SET2及び(ii)第四容器280D内のタブレットのセットであるTABLET_SET4の間のロード又は容積を比較することが可能であり、TABLET_SET2の全てのタブレット及びTABLET_SET4の全てのタブレットは、「第二タイプ」であり、同じ染色発色剤を含み、すべてが染料前駆体を実質的に含まない。この第二実施例において、第二280B容器内に保存されている少なくとも大多数又は少なくとも実質的な大多数又は全てのタブレットは、TABLET_SET12セットのメンバーであり、第四280D容器内に保存されている、少なくとも大多数又は少なくとも実質的に大多数又は全てのタブレットは、TABLET_SET4セットのメンバーである。この第二実施例において、TABLET_SET2セットのタブレットの平均容積は、VOL2であり、TABLET_SET2セットのタブレットの平均ロード(モルあたりのもの)は、LM2であり、TABLET_SET2セットのタブレットの平均ロード(重量あたりのもの)は、LW2である。例えば、TABLET_SET2の全てのタブレットは、同じ容積又はロード(重量あたりのもの)又はロード(モルあたりのもの)を有してもよい。この第二実施例において、TABLET_SET4のタブレットの平均容積はVOL4であり、TABLET_SET4セットのタブレットの平均ロード(モルあたりのもの)はLM4であり、TABLET_SET4セットのタブレットの平均ロード(重量あたりのもの)はLW4である。例えば、TABLET_SET2の全てのタブレットは、同じ容積又は同じロード(重量あたりのもの)又は同じロード(モルあたりのもの)を有していてもよい。代わりに又は付加的に、TABLET_SET4の全てのタブレットは、同じ容積又はロード(重量あたりのもの)又は同じロード(モルあたりのもの)を有していてもよい。
【０２０１】
この第一実施例によれば、以下の少なくとも1つ又は少なくとも2又は少なくとも3つは、真である:(i)ロード-重量比LW2/LW4は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、及び/又は、(ii)ロード-モル比LM2/LM4は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、(ii)容積比VOL2/VOL4は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である。
【０２０２】
本発明の実施形態は、複数のタブレットから「複数容器とタブレットの組み合わせ」の分配に関する。これは、複数のN容器である容器1から容器N(Nは、少なくとも2に等しい正の整数)に関して、2つの正の整数i及びj(i≠jであり、i及びjの両方は、少なくとも1に等しく最高でNに等しい)に関して、少なくとも一つのタブレット(いくつかの実施形態において、複数のタブレット)は容器iから分配され、そして、少なくとも一つのタブレット(いくつかの実施形態において、複数のタブレット)は容器jから分配されることを意味する。
【０２０３】
ある実施形態において、タブレットディスペンサーが「1又は複数の特性(例えば毛髪染色標的及び/又は毛髪分光データ)に従って」一又は複数のタブレットを分配する場合、タブレットの量(即ち、数又は容積及び/又は重量、例えば、種々のタイプのタブレットが各容器において保存されている複数の容器からのタブレットの相対量)は、特性に従って、例えば、電子回路によって(例えば、毛髪染色の結果を予測するいくつかのアルゴリズムによって)決定される。
【０２０４】
ある実施形態において、液体ディスペンサーは、「1又は複数の特性(例えば毛髪染色標的及び/又は毛髪分光データ)に従って」流動可能な媒体(例えば液体又はクリーム又はゲル又は乳濁液)を分配してもよい。これは、流動可能な媒体の量、例えば、タブレットに対する流動可能な媒体の絶対量若しくは相対量又は第二の(即ち、第二貯蔵部の)流動可能な媒体に対する、第一の(即ち、第一貯蔵部の)流動可能な媒体の相対量に関連するものであってもよい。これは、例えば、貯蔵部の1つの流動可能な媒体をそこで又は他の貯蔵部で希釈してもよい。決定は、電子回路によって(例えば、毛髪染色の結果を予測するいくつかのアルゴリズムによって)実行してもよい。
【０２０５】
「貯蔵部」の例を図15に図示している。
【０２０６】
図16-19の説明
図16-19は、(例えば、毛髪染色のための、又は、任意の他の美容用途のための)美容薬剤の分配に関する。容器毎に、その中の美容素材の物理的及び/又は化学的特性を記述しているデータは、容器にエンコードされる。
【０２０７】
美容薬剤(例えば、従来技術において知られている毛髪染色薬剤又は(例えば、毛髪染色以外の用途のための)任意の他の美容薬剤)は、各容器内に保存される。
【０２０８】
各容器の内容物に関する情報を保存するためのそれぞれ異なるデータ記憶要素190A-190Bは、各容器180A-180Pにある(例えば、そこに若しくはその中に搭載される、又は、容器に埋め込まれる)。データ記憶要素の例として、限定するものではないが、ホログラム要素、バーコード、QRコード、I2C EEPROM、磁性コーディング要素、機械的コーディング要素及びRFID要素が挙げられる。
【０２０９】
このデータ記憶要素は、(例えば、ディスペンサー及び/又はその電子制御装置に動作可能に接続した)コード読取装置188によって読み込まれてもよい。
【０２１０】
種々の実施形態において、容器の内容物に関する一又は複数の以下のデータ項目をエンコードしてもよい:バッチ番号、容器における素材タイプ、量データ(例えば容器内の初期の量又は現在の量)、素材バージョン、染料物(例えば着色剤に関するもの)、生産日、アンモニアレベル、ペルオキシド、MEA、粘度(例えばクリームに関するもの)及び有効期限。
【０２１１】
更に別の例では、容器又はその内容物に関連した使用履歴又は保管履歴データを保存してもよい。一つの例において、容器をディスペンサーに取り付けた時間又は日付の保存が可能であってもよい。代わりに又は付加的に、例えば、容器内における素材に「劣化」の影響を算出するために、容器が置かれている周囲環境の温度及び/又は湿度履歴の保存が可能であってもよい。いくつかの実施形態において、コード読取装置188は、データをデータ記憶要素190へ書き込む(あるいは、更新する)働きをしてもよい。
【０２１２】
すべての美容薬剤が、同様に劣化し得るというわけではない。従って、ある美容薬剤が別の薬剤よりも早い速度でその力価を失う可能性がある。この状態において、美容対象(例えば毛髪染色)のために必要とされる美容薬剤の相対量を算出するためのアルゴリズムは、劣化によって影響を受けるだろう(即ち、暦年劣化又は素材が劣化する別の方法、例えば、高湿度環境において保存された素材は、低物質環境において保存された素材と違って劣化するだろう)。これは、図19に後述している。
【０２１３】
図17Aを参照する。ステップS701において、コードは、データ記憶要素190からコード読取装置188によって読み取られる。ステップS705において、内容物は、コードの読取りの結果に従って分配される。
【０２１４】
1つの方法は、安全且つ美容的に許容可能な素材だけが容器から分配されることを確認することである。従って、図17BのステップS711に、素材がこの基準を満たす場合のみ容器は「適格」(ステップS715)となる又は分配を行なう。そうでない場合(ステップS719)、ディスペンサーは、容認できない素材を含んでいる素材を分配しないようにしてもよい。
【０２１５】
ある実施形態において、コードの読取りの結果(コード読取装置188によるステップS701)は、例えば、候補製法の予測及び/又は評価によって、分配決定エンジン3140の挙動に影響を与えてもよい。一つの例において、種々のバッチは、物理的及び/又は化学的特性がわずかに異なっていてもよく、同一でなくてもよい。他の例において、素材の劣化として、その物理的及び/又は化学的特性が変化する。従って、最近製造された素材を用いた製法は、劣化後の同一材料を使用する同じ製法とは異なる効果をユーザーの毛髪に与える可能性がある。
【０２１６】
図18は、コード読取りの結果が分配決定エンジン3140の挙動に影響を与える状態に関する。ステップS721において、ユーザーの毛髪に対する製法の影響の予測及び/又は特定の製法の評価は、コードの読取りの結果に従って実行してもよく、そして、素材は、影響を受けた評価/予測に従って(ステップS739において)容器から分配される。
【０２１７】
図19は、データ記憶要素190から読み込まれたデータから算出された素材劣化特性に従って容器から素材を分配する方法である。
【０２１８】
(i)美容薬剤の参照又はベースライン物理的及び/又は化学的特性(例えば、製造に関するそれらの特性、又は、容器の開口に関するそれらの特性、又は、ディスペンサーに容器を係合することのそれらの特性)及び(ii)素材劣化測定値(ベースライン特性が有効であった時からの時間、又は、劣化に関する他の履歴データ(例えば、経時的な湿度又は温度)の両方をデータ記憶要素に保存することが可能である
【０２１９】
種々の相対量の素材をディスペンサーから分配する必要がある場合、ベースライン特性から及び劣化測定値から、容器内の素材の現在の物理的及び/又は化学的特性の評価を算出することが可能である(図19のステップS731)。この評価から、適切な量を分配することが可能である。例えば、この評価を、本願明細書に記載されている素材を分配するための任意のアルゴリズムに対する入力として使用してもよい(即ち、図19のステップS735-S739)。
【０２２０】
従って、ある実施形態は、a. 分配デバイスと、b. 複数の容器と、c. 分配デバイスに備わる又は動作可能に接続したコード読取装置と、を備える美容成分を分配するシステムに関するものであり、各容器は、その中に保存されている、それぞれ異なる美容特性を有するそれぞれ異なる美容薬剤を含み、各容器は、(i)そこに保存されている美容薬剤の参照物理化学的特性及び(ii)美容素材の劣化の程度を記述している劣化測定値の両方を記述しているそれぞれのデータをエンコードしており、コード読取装置は、各容器から、それぞれエンコードされた参照物理化学特性及び劣化測定値を読み取るように構成され、i.分配デバイスは、容器がそれに係合すると、容器内に保存されている美容薬剤の現在の物理化学特性の評価に従って決定された相対量にて、容器から美容薬剤を分配するように構成され、ii.各美容薬剤の現在の物理化学特性の評価は、そこに保存されている美容薬剤の(i)参照物理化学特性及び(ii)美容素材の劣化の程度を記述している劣化測定値の両方に従って算出される。
【０２２１】
劣化計量値の例としては、(i) 容器を製造若しくは開封又は容器をディスペンサーに係合した時から経過した時間と、(ii) 履歴温度又は湿度が挙げられる。
【０２２２】
このように、例示的な実施形態を記載してきたが、その様々な等価物、変更形態、修正形態及び改良が、添付の請求項の範囲及び趣旨を逸脱しない範囲で可能であることは、当業者にとって明らかであろう。特に、種々の実施形態には、本願明細書に記載されているもの以外の特徴の組み合わせを含めてもよい。従って、請求項は、前述の考察に限られていない。
【図１】
2019070660.tif 000002
【図２】
2019070660.tif 000003
【図３Ａ】
2019070660.tif 000004
【図３Ｂ】
2019070660.tif 000005
【図４】
2019070660.tif 000006
【図５】
2019070660.tif 000007
【図６】
2019070660.tif 000008
【図７Ａ】
2019070660.tif 000009
【図７Ｂ】
2019070660.tif 000010
【図８】
2019070660.tif 000011
【図９】
2019070660.tif 000012
【図１０】
2019070660.tif 000013
【図１１Ａ】
2019070660.tif 000014
【図１１Ｂ】
2019070660.tif 000015
【図１２】
2019070660.tif 000016
【図１３】
2019070660.tif 000017
【図１４Ａ】
2019070660.tif 000018
【図１４Ｂ】
2019070660.tif 000019
【図１４Ｃ】
2019070660.tif 000020
【図１５】
2019070660.tif 000021
【図１６】
2019070660.tif 000022
【図１７】
2019070660.tif 000023
【図１８】
2019070660.tif 000024
【図１９】
2019070660.tif 000025
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
a.  複数の容器と、
b.  ディスペンサーと、を備え、
各容器は、種々の永久毛髪染色薬剤を保持し、
第一の複数の容器は、染料前駆体を含み発色剤を実質的に含まず、
第二の複数の容器は、発色剤を含み染料前駆体を実質的に含まず、
前記ディスペンサーは、前記容器の内容物を分配するように構成され、
第一及び第二容器からの素材を含む複数容器の組み合わせを提供する、毛髪染色組成物を作成するためのシステム。
【請求項２】
a.  第一及び第二容器を備える複数の容器と、
b.  複数のタブレットと、
c.  ディスペンサーと、を備え、
前記複数のタブレットは、(i)永久毛髪染色染料前駆体と(ii) 永久毛髪染色染料発色剤のうちの少なくとも一つを含む各タブレットを有する容器の各々の中に配置され、
第一の前記容器において、複数のタブレットは、第一及び第二タイプのタブレットを含み、
(A)  前記第一タイプのタブレットは、永久毛髪染色染料前駆体を含み永久毛髪染色染料発色剤を実質的に含まず、
(B)  前記第二タイプのタブレットは、永久毛髪染色染料発色剤を含み永久毛髪染色染料前駆体を実質的に含まず、
前記第一容器の大多数のタブレットは、前記第一タイプであり、
前記第二容器の大多数のタブレットは、前記第二タイプであり、
前記ディスペンサーは、前記第一及び第二の容器から、前記第一及び第二タイプのタブレットを含む複数容器とタブレットの組み合わせを提供するようにタブレットを分配するように構成される、毛髪染色組成物を作成するためのシステム。
【請求項３】
前記第一容器の少なくとも大多数のタブレットは、前記第一タイプであり、実質的に同じ染色発色剤であり、実質的に同一サイズである、請求項２に記載のシステム。
【請求項４】
前記複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプで、同一の前駆体PREC_1を含み、
(iv)  TABLET_SET3の全てのタブレットは、第一タイプであり、TABLET_SET3と同じ同一の前駆体PREC_1を含み
(v)  TABLET_SET1のタブレットの平均ロード(重量あたりのもの)は、LW1であり、
(v)  TABLET_SETト3のタブレットの平均ロード(重量あたりのもの)は、LW3であり、
(vi)  LW1とLW3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、請求項３に記載のシステム。
【請求項５】
前記複数の容器は、第三容器を備え、
(i)  前記第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプであり、同一の前駆体PREC1を含み、
(iv)  TABLET_SET3の全てのタブレットは、第一タイプであり、TABLET_SET3と同じ同一の前駆体PREC1を含み、
(v)  TABLET_SET1のタブレットの平均ロード(モルあたりのもの)は、LM1であり、
(v)  TABLET_SET3のタブレットの平均ロード(重量あたりのもの)は、LM3であり、
(vi)  LM1とLM3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、請求項１から４のいずれかに記載のシステム。
【請求項６】
前記複数の容器は、第三容器を備え、
(i)  第一容器内の少なくとも大多数のタブレットは、TABLET_SET1のメンバーであり、
(ii)  第三容器内の少なくとも大多数のタブレットは、TABLET_SET3のメンバーであり、
(iii)  TABLET_SET1の全てのタブレットは、第一タイプであり、同一の前駆体PREC1を含み、
(iv)  TABLET_SET3の全てのタブレットは、第一タイプであり、TABLET_SET3と同じ同一の前駆体PREC1を含み、
(v)  TABLET_SET1のタブレットの平均容積は、VOL1であり、
(v)   TABLET_SET3のタブレットの平均容積は、VOl3であり、
(vi)  VOL1とVOL3との間の比率は、少なくとも1.1又は少なくとも1.2又は少なくとも1.25又は少なくとも1.3又は少なくとも1.4又は少なくとも1.5又は少なくとも1.75又は少なくとも2又は少なくとも3又は少なくとも5又は少なくとも7.5又は少なくとも10である、請求項１から５のいずれかに記載のシステム。
【請求項７】
TABLET_SET1の全てのタブレットは、容積が実質的に同じ及び/又は前駆体PREC1のロード(重量あたりのもの)が実質的に同じ及び/又は前駆体PREC1のロード(モルあたりのもの)が実質的に同じである、請求項１から６のいずれかに記載のシステム。
【請求項８】
TABLET_SET3の全てのタブレットは、容積が実質的に同じ及び/又は前駆体PREC1のロード(質量あたりのもの)が実質的に同じ及び/又は前駆体PREC1のロード(モルあたりのもの)が実質的に同じである、請求項１から７のいずれかに記載のシステム。
【外国語明細書】
2019070660000001.pdf